(57)【要約】  ワイヤレス通信のための方法、装置、およびコンピュータプログラム製品が提供される。本装置は、動作モードを第１の信号対雑音比（ＳＮＲ）モードから増加ＳＮＲモードに変更すると決定し、増加ＳＮＲにおいてデータを受信する能力を示すチャネル品質情報（ＣＱＩ）を基地局に送り、前記基地局が高次変調およびコーディング方式（ＭＣＳ）において前記データを提供することが可能である場合、前記増加ＳＮＲに対応する前記高次ＭＣＳに従って前記基地局から前記データを受信する。
2017501596.tif 000002
【特許請求の範囲】
【請求項１】
動作モードを第１の信号対雑音比（ＳＮＲ）モードから増加ＳＮＲモードに変更することを決定することと、
前記増加ＳＮＲにおいてデータを受信する能力を示すチャネル品質情報（ＣＱＩ）を基地局に送ることと、
前記基地局が高次変調およびコーディング方式（ＭＣＳ）において前記データを提供することが可能である場合、前記増加ＳＮＲに対応する前記高次ＭＣＳに従って前記基地局から前記データを受信することと
を具備する、ワイヤレス通信の方法。
【請求項２】
前記動作モードを変更することを前記決定することは、
ダウンリンクＳＮＲ測定値を取得することと、
前記ダウンリンクＳＮＲ測定値に基づいて前記動作モードを前記増加ＳＮＲモードに変更することと
を具備する、請求項１の方法。
【請求項３】
前記動作モードを変更することを前記決定することは、
前記基地局から、前記高次ＭＣＳに対応する少なくとも１つのＣＱＩ値を使用するためのシグナリングを受信することと、
前記受信されたシグナリングに基づいて前記動作モードを前記増加ＳＮＲモードに変更することと
を具備する、請求項１の方法。
【請求項４】
前記動作モードを変更することを前記決定することは、
前記第１のＳＮＲモードにおいて動作しながら、第１のＭＣＳに従って前記基地局からデータを受信することと、
複数の連続するタイムスロットに関する前記第１のＭＣＳに従って前記基地局から前記データを受信した後に、前記動作モードを前記増加ＳＮＲモードに変更することと
を具備する、請求項１の方法。
【請求項５】
前記増加ＳＮＲにおいて前記データを受信する前記能力を示す前記ＣＱＩを送った後に、前記第１のＭＣＳに従って前記データを受信し続けるか、またはデータを受信することに失敗することと、
前記基地局が前記高次ＭＣＳにおいて前記データを提供することができないと決定することと、
前記動作モードを前記第１のＳＮＲモードに戻すことと
をさらに具備する、請求項４の方法。
【請求項６】
前記第１のＭＣＳが６４値直交振幅変調（ＱＡＭ）を具備し、前記高次ＭＣＳが２５６ＱＡＭを具備する、請求項４の方法。
【請求項７】
前記第１のＭＣＳが４位相シフトキーイング（ＱＰＳＫ）を具備し、前記高次ＭＣＳが１６値直交振幅変調（ＱＡＭ）または６４ＱＡＭを具備する、請求項４の方法。
【請求項８】
前記動作モードは、
低雑音指数（ＮＦ）および低利得が、固定された高利得低雑音増幅器（ＬＮＡ）状態とポストミキサ調整可能利得ベースバンド増幅器状態とによって同時に達成されるように利得状態を動かすこと、
電圧制御発振器（ＶＣＯ）／位相ロックループ（ＰＬＬ）電流を増加させること、
リアルタイム残差側波帯（ＲＳＢ）キャリブレーションを起動すること、または
フロントエンド不可逆構成要素をバイパスすること
のうちの少なくとも１つによって前記増加ＳＮＲモードに変更される、請求項１の方法。
【請求項９】
前記基地局からのシグナリングは、基地局ダウンリンク信号が、
コロケートされるかまたはコロケートされない、あるいは
時間整合されるかまたは時間整合されない
ネットワーク構成において、マルチキャリアダウンリンクシグナリングを介して受信される、請求項８の方法。
【請求項１０】
動作モードを第１の信号対雑音比（ＳＮＲ）モードから増加ＳＮＲモードに変更することを決定するための手段と、
前記増加ＳＮＲにおいてデータを受信する能力を示すチャネル品質情報（ＣＱＩ）を基地局に送るための手段と、
前記基地局が高次変調およびコーディング方式（ＭＣＳ）において前記データを提供することが可能である場合、前記増加ＳＮＲに対応する前記高次ＭＣＳに従って前記基地局から前記データを受信するための手段と
を具備する、ワイヤレス通信用装置。
【請求項１１】
前記動作モードを変更することを決定するための前記手段は、
ダウンリンクＳＮＲ測定値を取得し、
前記ダウンリンクＳＮＲ測定値に基づいて前記動作モードを前記増加ＳＮＲモードに変更する
ように構成される、請求項１０の装置。
【請求項１２】
前記動作モードを変更することを決定するための前記手段は、
前記基地局から、前記高次ＭＣＳに対応する少なくとも１つのＣＱＩ値を使用するためのシグナリングを受信し、
前記受信されたシグナリングに基づいて前記動作モードを前記増加ＳＮＲモードに変更する
ように構成される、請求項１０の装置。
【請求項１３】
前記動作モードを変更することを決定するための前記手段は、
前記第１のＳＮＲモードにおいて動作しながら、第１のＭＣＳに従って前記基地局からデータを受信し、
複数の連続するタイムスロットに関する前記第１のＭＣＳに従って前記基地局から前記データを受信した後に、前記動作モードを前記増加ＳＮＲモードに変更する
ように構成される、請求項１０の装置。
【請求項１４】
前記増加ＳＮＲにおいて前記データを受信する前記能力を示す前記ＣＱＩを送った後に、前記第１のＭＣＳに従って前記データを受信し続けるか、またはデータを受信することに失敗するための手段と、
前記基地局が前記高次ＭＣＳにおいて前記データを提供することができないと決定するための手段と、
前記動作モードを前記第１のＳＮＲモードに戻すための手段と
をさらに具備する、請求項１３の装置。
【請求項１５】
前記第１のＭＣＳが６４値直交振幅変調（ＱＡＭ）を具備し、前記高次ＭＣＳが２５６ＱＡＭを具備する、請求項１３の装置。
【請求項１６】
前記第１のＭＣＳが４位相シフトキーイング（ＱＰＳＫ）を具備し、前記高次ＭＣＳが１６値直交振幅変調（ＱＡＭ）または６４ＱＡＭを具備する、請求項１３の装置。
【請求項１７】
前記動作モードは、
低雑音指数（ＮＦ）および低利得が、固定された高利得低雑音増幅器（ＬＮＡ）状態とポストミキサ調整可能利得ベースバンド増幅器状態とによって同時に達成されるように利得状態を動かすこと、
電圧制御発振器（ＶＣＯ）／位相ロックループ（ＰＬＬ）電流を増加させること、
リアルタイム残差側波帯（ＲＳＢ）キャリブレーションを起動すること、または
フロントエンド不可逆構成要素をバイパスすること
のうちの少なくとも１つによって前記増加ＳＮＲモードに変更される、請求項１０の装置。
【請求項１８】
前記基地局からのシグナリングは、基地局ダウンリンク信号が、
コロケートされるかまたはコロケートされない、あるいは
時間整合されるかまたは時間整合されない
ネットワーク構成において、マルチキャリアダウンリンクシグナリングを介して受信される、請求項１７の装置。
【請求項１９】
メモリと、
前記メモリに接続される少なくとも１つのプロセッサと
を具備し、前記少なくとも１つのプロセッサは、
動作モードを第１の信号対雑音比（ＳＮＲ）モードから増加ＳＮＲモードに変更することを決定し、
前記増加ＳＮＲにおいてデータを受信する能力を示すチャネル品質情報（ＣＱＩ）を基地局に送り、
前記基地局が高次変調およびコーディング方式（ＭＣＳ）において前記データを提供することが可能である場合、前記増加ＳＮＲに対応する前記高次ＭＣＳに従って前記基地局から前記データを受信する
ように構成される、ワイヤレス通信用装置。
【請求項２０】
前記動作モードを変更することを決定するように構成される前記少なくとも１つのプロセッサは、
ダウンリンクＳＮＲ測定値を取得し、
前記ダウンリンクＳＮＲ測定値に基づいて前記動作モードを前記増加ＳＮＲモードに変更する
ように構成される、請求項１９の装置。
【請求項２１】
前記動作モードを変更することを決定するように構成される前記少なくとも１つのプロセッサは、
前記基地局から、前記高次ＭＣＳに対応する少なくとも１つのＣＱＩ値を使用するためのシグナリングを受信し、
前記受信されたシグナリングに基づいて前記動作モードを前記増加ＳＮＲモードに変更する
ように構成される、請求項１９の装置。
【請求項２２】
前記動作モードを変更することを決定するように構成される前記少なくとも１つのプロセッサが、
前記第１のＳＮＲモードにおいて動作しながら、第１のＭＣＳに従って前記基地局からデータを受信し、
複数の連続するタイムスロットに関する前記第１のＭＣＳに従って前記基地局から前記データを受信した後に、前記動作モードを前記増加ＳＮＲモードに変更する
ように構成される、請求項１９の装置。
【請求項２３】
前記少なくとも１つのプロセッサは、
前記増加ＳＮＲにおいて前記データを受信する前記能力を示す前記ＣＱＩを送った後に、前記第１のＭＣＳに従って前記データを受信し続けるか、またはデータを受信することに失敗し、
前記基地局が前記高次ＭＣＳにおいて前記データを提供することができないと決定し、
前記動作モードを前記第１のＳＮＲモードに戻す
ようにさらに構成される、請求項２２の装置。
【請求項２４】
前記第１のＭＣＳが６４値直交振幅変調（ＱＡＭ）を具備し、前記高次ＭＣＳが２５６ＱＡＭを具備する、請求項２２の装置。
【請求項２５】
前記第１のＭＣＳが４位相シフトキーイング（ＱＰＳＫ）を具備し、前記高次ＭＣＳが１６値直交振幅変調（ＱＡＭ）または６４ＱＡＭを具備する、請求項２２の装置。
【請求項２６】
前記動作モードは、
低雑音指数（ＮＦ）および低利得が、固定された高利得低雑音増幅器（ＬＮＡ）状態とポストミキサ調整可能利得ベースバンド増幅器状態とによって同時に達成されるように利得状態を動かすこと、
電圧制御発振器（ＶＣＯ）／位相ロックループ（ＰＬＬ）電流を増加させること、
リアルタイム残差側波帯（ＲＳＢ）キャリブレーションを起動すること、または
フロントエンド不可逆構成要素をバイパスすること
のうちの少なくとも１つによって前記増加ＳＮＲモードに変更される、請求項１９の装置。
【請求項２７】
前記基地局からのシグナリングは、基地局ダウンリンク信号が、
コロケートされるかまたはコロケートされない、あるいは
時間整合されるかまたは時間整合されない
ネットワーク構成において、マルチキャリアダウンリンクシグナリングを介して受信される、請求項２６の装置。
【請求項２８】
動作モードを第１の信号対雑音比（ＳＮＲ）モードから増加ＳＮＲモードに変更すると決定し、
前記増加ＳＮＲにおいてデータを受信する能力を示すチャネル品質情報（ＣＱＩ）を基地局に送り、
前記基地局が高次変調およびコーディング方式（ＭＣＳ）において前記データを提供することが可能である場合、前記増加ＳＮＲに対応する前記高次ＭＣＳに従って前記基地局から前記データを受信する
ためのコードを具備するコンピュータ可読媒体を具備する、コンピュータプログラム製品。
【発明の詳細な説明】
【技術分野】
【０００１】
関連出願の相互参照
[0001]本出願は、その全体が参照により本明細書に明確に組み込まれる、２０１３年９月３０日に出願された「DYNAMIC SNR ADJUSTMENT IN A RECEIVER SUPPORTING 256QAM」と題する米国仮出願第６１／８８４，８６９号、および２０１４年３月１２日に出願された「DYNAMIC SNR ADJUSTMENT IN A RECEIVER SUPPORTING 256QAM」と題する米国非仮出願第１４／２０７，４９２号の利益を主張する。
【０００２】
[0002]本開示は、一般に通信システムに関し、より詳細には、ユーザ機器（ＵＥ：user equipment）動作モードを低信号対雑音比（ＳＮＲ：signal-to-noise ratio）低電流モードから高ＳＮＲ高電流モードに変更すべき日和見的時間を決定することに関する。
【背景技術】
【０００３】
[0003]ワイヤレス通信システムは、電話、ビデオ、データ、メッセージング、およびブロードキャストなど、様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多重接続技術を採用し得る。そのような多重接続技術の例としては、符号分割多重接続（ＣＤＭＡ）システム、時分割多重接続（ＴＤＭＡ）システム、周波数分割多重接続（ＦＤＭＡ）システム、直交周波数分割多重接続（ＯＦＤＭＡ）システム、シングルキャリア周波数分割多重接続（ＳＣ−ＦＤＭＡ）システム、および時分割同期符号分割多重接続（ＴＤ−ＳＣＤＭＡ）システムがある。
【０００４】
[0004]これらの多重接続技術は、異なるワイヤレスデバイスが都市、国家、地域、さらには地球規模で通信することを可能にする共通プロトコルを提供するために様々な電気通信規格において採用されている。新生の電気通信規格の一例はロングタームエボリューション（ＬＴＥ（登録商標）：Long Term Evolution）である。ＬＴＥは、第３世代パートナーシッププロジェクト（３ＧＰＰ（登録商標）：Third Generation Partnership Project）によって公表されたユニバーサルモバイルテレコミュニケーションズシステム（ＵＭＴＳ：Universal Mobile Telecommunications System）モバイル規格の拡張のセットである。ＬＴＥは、スペクトル効率を改善すること、コストを下げること、サービスを改善すること、新しいスペクトルを利用すること、また、ダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合することによって、モバイルブロードバンドインターネットアクセスをより良くサポートするように設計されている。しかしながら、モバイルブロードバンドアクセスに対する需要が増大し続けるにつれて、ＬＴＥ技術のさらなる改善が必要である。好ましくは、これらの改善は、他の多重接続技術と、これらの技術を採用する電気通信規格とに適用可能であるべきである。
【発明の概要】
【０００５】
[0005]本開示の一態様では、方法、コンピュータプログラム製品、および装置が提供される。本装置は、動作モードを第１の信号対雑音比（ＳＮＲ）モードから増加（increased）ＳＮＲモードに変更すると決定し、増加ＳＮＲにおいてデータを受信する能力を示すチャネル品質情報（ＣＱＩ：channel quality information）を基地局に送り、基地局が高次変調およびコーディング方式（ＭＣＳ：modulation and coding scheme）においてデータを提供することが可能である場合、増加ＳＮＲに対応する高次ＭＣＳに従って基地局からデータを受信する。
【図面の簡単な説明】
【０００６】
【図１】[0006]図１は、ネットワークアーキテクチャの一例を示す図である。
【図２】[0007]図２は、アクセスネットワークの一例を示す図である。
【図３】[0008]図３は、ＬＴＥにおけるＤＬフレーム構造の一例を示す図である。
【図４】[0009]図４は、ＬＴＥにおけるＵＬフレーム構造の一例を示す図である。
【図５】[0010]図５は、ユーザプレーンおよび制御プレーンのための無線プロトコルアーキテクチャの一例を示す図である。
【図６】[0011]図６は、アクセスネットワーク中の発展（evolved）ノードＢおよびユーザ機器の一例を示す図である。
【図７】[0012]図７は、異種ネットワーク中の範囲拡大セルラー領域を示す図である。
【図８Ａ】[0013]図８Ａは、異なる次数の変調およびコーディング方式（ＭＣＳ）についてのＳＮＲ（またはキャリア対雑音比（Ｃ／Ｎ：carrier-to-noise ratio））とアンテナポートにおけるＲＦ電力との間の関係を示す図である。
【図８Ｂ】[0014]図８Ｂは、ＵＥのための利得ラインアップの一例を示す図である。
【図９】[0015]図９は、変調およびコーディング方式を決定するためのＵＥと基地局との間の通信を示す図である。
【図１０】[0016]図１０は、データを受信するためのタイムスロットを示す図である。
【図１１】[0017]図１１は、ワイヤレス通信の方法のフローチャートである。
【図１２】[0018]図１２は、例示的な装置における異なるモジュール／手段／構成要素間のデータフローを示す概念的データフロー図である。
【図１３】[0019]図１３は、処理システムを採用する装置に関するハードウェア実装の例を示す図である。
【発明を実施するための形態】
【０００７】
[0020]添付の図面に関して以下に記載する発明を実施するための形態は、様々な構成を説明するものであり、本明細書で説明する概念が実施され得る構成のみを表すものではない。発明を実施するための形態は、様々な概念の完全な理解を提供するための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【０００８】
[0021]次に、様々な装置および方法に関して電気通信システムのいくつかの態様を提示する。これらの装置および方法について、以下の発明を実施するための形態において説明し、（「要素」と総称される）様々なブロック、モジュール、構成要素、回路、ステップ、プロセス、アルゴリズムなどによって添付の図面に示す。これらの要素は、電子ハードウェア、コンピュータソフトウェア、またはそれらの任意の組合せを使用して実装され得る。そのような要素がハードウェアとして実装されるかソフトウェアとして実装されるかは、特定の適用例および全体的なシステムに課された設計制約に依存する。
【０００９】
[0022]例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、ディスクリートハードウェア回路、および本開示全体にわたって説明する様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１０】
[0023]したがって、１つまたは複数の例示的な実施形態では、説明される機能は、ハードウェア、ソフトウェア、ファームウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく、例として、そのようなコンピュータ可読媒体は、ランダムアクセスメモリ（ＲＡＭ）、読取り専用メモリ（ＲＯＭ）、電気的消去可能プログラマブルＲＯＭ（ＥＥＰＲＯＭ（登録商標））、コンパクトディスクＲＯＭ（ＣＤ−ＲＯＭ）または他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、およびフロッピー（登録商標）ディスク（disk）を含み、ディスク（disk）は、通常、データを磁気的に再生し、ディスク（disc）は、データをレーザーで光学的に再生する。上記の組合せもコンピュータ可読媒体の範囲内に含めるべきである。
【００１１】
[0024]図１は、ＬＴＥネットワークアーキテクチャ１００を示す図である。ＬＴＥネットワークアーキテクチャ１００は発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、ホーム加入者サーバ（ＨＳＳ：Home Subscriber Server）１２０と、事業者のインターネットプロトコル（ＩＰ）サービス１２２とを含み得る。ＥＰＳは他のアクセスネットワークと相互接続することができるが、簡単のために、それらのエンティティ／インターフェースは図示していない。図示のように、ＥＰＳはパケット交換サービスを提供するが、当業者なら容易に理解するように、本開示全体にわたって提示する様々な概念は、回線交換サービスを提供するネットワークに拡張され得る。
【００１２】
[0025]Ｅ−ＵＴＲＡＮは発展型ノードＢ（ｅＮＢ）１０６と他のｅＮＢ１０８とを含む。ｅＮＢ１０６は、ＵＥ１０２に対してユーザプレーンプロトコル終端と制御プレーンプロトコル終端とを提供する。ｅＮＢ１０６は、バックホール（たとえば、Ｘ２インターフェース）を介して他のｅＮＢ１０８に接続され得る。ｅＮＢ１０６はまた、基地局、ノードＢ、アクセスポイント、トランシーバ基地局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることがある。ｅＮＢ１０６は、ＵＥ１０２にＥＰＣ１１０へのアクセスポイントを提供する。ＵＥ１０２の例としては、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、タブレット、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００１３】
[0026]ｅＮＢ１０６はＥＰＣ１１０に接続される。ＥＰＣ１１０は、モビリティ管理エンティティ（ＭＭＥ：Mobility Management Entity）１１２と、他のＭＭＥ１１４と、サービングゲートウェイ１１６と、マルチメディアブロードキャストマルチキャストサービス（ＭＢＭＳ：Multimedia Broadcast Multicast Service）ゲートウェイ１２４と、ブロードキャストマルチキャストサービスセンター（ＢＭ−ＳＣ：Broadcast Multicast Service Center）１２６と、パケットデータネットワーク（ＰＤＮ：Packet Data Network）ゲートウェイ１１８とを含み得る。ＭＭＥ１１２は、ＵＥ１０２とＥＰＣ１１０との間のシグナリングを処理する制御ノードである。一般的に、ＭＭＥ１１２はベアラおよび接続管理を提供する。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振りならびに他の機能を提供する。ＰＤＮゲートウェイ１１８は事業者のＩＰサービス１２２に接続される。事業者のＩＰサービス１２２は、インターネットと、イントラネットと、ＩＰマルチメディアサブシステム（ＩＭＳ：IP Multimedia Subsystem）と、ＰＳストリーミングサービス（ＰＳＳ：PS Streaming Service）とを含み得る。ＢＭ−ＳＣ１２６は、ＭＢＭＳユーザサービスプロビジョニングおよび配信のための機能を与え得る。ＢＭ−ＳＣ１２６は、コンテンツプロバイダＭＢＭＳ送信のためのエントリポイントとして働き得、ＰＬＭＮ内のＭＢＭＳベアラサービスを認証し、開始するために使用され得、ＭＢＭＳ送信をスケジュールし、配信するために使用され得る。ＭＢＭＳゲートウェイ１２４は、特定のサービスをブロードキャストするマルチキャストブロードキャスト単一周波数ネットワーク（ＭＢＳＦＮ）エリアに属するｅＮＢ（たとえば、１０６、１０８）にＭＢＭＳトラフィックを配信するために使用され得、セッション管理（開始／停止）と、ｅＭＢＭＳ関係の課金情報を収集することとを担当し得る。
【００１４】
[0027]図２は、ＬＴＥネットワークアーキテクチャにおけるアクセスネットワーク２００の一例を示す図である。この例では、アクセスネットワーク２００はいくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、フェムトセル（たとえば、ホームｅＮＢ（ＨｅＮＢ：home eNB））、ピコセル、マイクロセル、またはリモートラジオヘッド（ＲＲＨ：remote radio head）であり得る。マクロｅＮＢ２０４は各々、それぞれのセル２０２に割り当てられ、セル２０２中のすべてのＵＥ２０６にＥＰＣ１１０へのアクセスポイントを提供するように構成される。アクセスネットワーク２００のこの例には集中コントローラはないが、代替構成では集中コントローラが使用され得る。ｅＮＢ２０４は、無線ベアラ制御、承認制御、モビリティ制御、スケジューリング、セキュリティ、およびサービングゲートウェイ１１６への接続性を含む、すべての無線関係機能を担当する。ｅＮＢは、１つまたは複数の（たとえば、３つの）セル（セクタとも呼ばれる）をサポートし得る。「セル」という用語は、ｅＮＢの最小カバレージエリアを指すことができ、および／またはｅＮＢサブシステムサービングは特定のカバレッジエリアである。さらに、「ｅＮＢ」、「基地局」、および「セル」という用語は、本明細書では互換的に使用され得る。
【００１５】
[0028]アクセスネットワーク２００によって採用される変調および多重接続方式は、展開されている特定の電気通信規格に応じて異なり得る。ＬＴＥ適用例では、周波数分割複信（ＦＤＤ：frequency division duplex）と時分割複信（ＴＤＤ：time division duplex）の両方をサポートするために、ＯＦＤＭがＤＬ上で使用され、ＳＣ−ＦＤＭＡがＵＬ上で使用される。当業者なら以下の詳細な説明から容易に理解するように、本明細書で提示する様々な概念はＬＴＥ適用例に好適である。ただし、これらの概念は、他の変調および多重接続技術を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、移動局にブロードバンドインターネットアクセスを提供するためにＣＤＭＡを採用する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communication）、ならびに、ＯＦＤＭＡを採用する、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多重接続技術は、特定の適用例およびシステムに課された全体的な設計制約に依存することになる。
【００１６】
[0029]ｅＮＢ２０４は、ＭＩＭＯ技術をサポートする複数のアンテナを有し得る。ＭＩＭＯ技術の使用により、ｅＮＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコーディングし（すなわち、振幅および位相のスケーリングを適用し）、次いでＤＬ上で複数の送信アンテナを通して空間的にプリコーディングされた各ストリームを送信することによって達成される。空間的にプリコーディングされたデータストリームは、異なる空間シグナチャとともに（１つまたは複数の）ＵＥ２０６に到着し、これにより、（１つまたは複数の）ＵＥ２０６の各々がそのＵＥ２０６に宛てられた１つまたは複数のデータストリームを復元することが可能になる。ＵＬ上で、各ＵＥ２０６は、空間的にプリコードされたデータストリームを送信し、これにより、ｅＮＢ２０４は、空間的にプリコードされた各データストリームのソースを識別することが可能になる。
【００１７】
[0030]空間多重化は、一般的に、チャネル状態が良いときに使用される。チャネル状態があまり好ましくないときは、送信エネルギーを１つまたは複数の方向に集中させるためにビームフォーミングが使用され得る。これは、複数のアンテナを通して送信するためのデータを空間的にプリコーディングすることによって達成され得る。セルのエッジにおいて良好なカバレージを達成するために、送信ダイバーシティと組み合わせてシングルストリームビームフォーミング送信が使用され得る。
【００１８】
[0031]以下の詳細な説明では、ＤＬ上でＯＦＤＭをサポートするＭＩＭＯシステムを参照しながらアクセスネットワークの様々な態様について説明する。ＯＦＤＭは、ＯＦＤＭシンボル内のいくつかのサブキャリアを介してデータを変調するスペクトル拡散（spread-spectrum）技法である。サブキャリアは正確な周波数で離間される。離間は、受信機がサブキャリアからデータを復元することを可能にする「直交性（orthogonality）」を提供する。時間領域では、ＯＦＤＭシンボル間干渉をなくすために、ガードインターバル（たとえば、サイクリックプレフィックス）が各ＯＦＤＭシンボルに追加され得る。ＵＬは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００１９】
[0032]図３は、ＬＴＥにおけるＤＬフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、リソースブロックは、周波数領域中に１２個の連続サブキャリアを含んでおり、各ＯＦＤＭシンボル中のノーマルサイクリックプレフィックスについて、時間領域中に７個の連続ＯＦＤＭシンボル、または８４個のリソース要素を含んでいる。拡張サイクリックプレフィックスについて、リソースブロックは、時間領域中に６個の連続ＯＦＤＭシンボルを含んでおり、７２個のリソース要素を有する。Ｒ３０２、３０４として示されるリソース要素のいくつかは、ＤＬ参照信号（ＤＬ−ＲＳ：DL reference signal）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ＤＬ共有チャネル（ＰＤＳＣＨ）がマッピングされるリソースブロック上のみで送信される。各リソース要素によって搬送されるビット数は変調方式に依存する。したがって、ＵＥが受信するリソースブロックが多いほど、また変調方式が高いほど、ＵＥのデータレートは高くなる。
【００２０】
[0033]図４は、ＬＴＥにおけるＵＬフレーム構造の一例を示す図４００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション内のリソースブロックは、制御情報を送信するためにＵＥに割り当てられ得る。データセクションは、制御セクション中に含まれないすべてのリソースブロックを含み得る。ＵＬフレーム構造は、データセクション中の連続するサブキャリアのすべてを単一のＵＥに割り当てることを可能にし得る連続サブキャリアを含むデータセクションを生じる。
【００２１】
[0034]ＵＥには、ｅＮＢに制御情報を送信するために、制御セクション中のリソースブロック４１０ａ、４１０ｂが割り当てられ得る。ＵＥには、ｅＮＢにデータを送信するために、データセクション中のリソースブロック４２０ａ、４２０ｂも割り当てられ得る。ＵＥは、制御セクション中の割り当てられたリソースブロック上の物理ＵＬ制御チャネル（ＰＵＣＣＨ：physical UL control channel）中で制御情報を送信し得る。ＵＥは、データセクション中の割り当てられたリソースブロック上の物理ＵＬ共有チャネル（ＰＵＳＣＨ：physical UL shared channel）中でデータのみまたはデータと制御情報の両方を送信し得る。ＵＬ送信は、サブフレームの両方のスロットにわたってもよく、周波数をまたいでホッピングし得る。
【００２２】
[0035]初期システムアクセスを実行し、物理ランダムアクセスチャネル（ＰＲＡＣＨ：physical random access channel）４３０中でＵＬ同期を達成するために、リソースブロックのセットが使用され得る。ＰＲＡＣＨ４３０は、ランダムシーケンスを搬送し、いかなるＵＬデータ／シグナリングも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試み（attempt）は単一のサブフレーム（１ｍｓ）中でまたは少数の連続サブフレームのシーケンス中で搬送され、ＵＥは、フレーム（１０ｍｓ）ごとに単一のＰＲＡＣＨ試みだけを行うことができる。
【００２３】
[0036]図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、レイヤ１と、レイヤ２と、レイヤ３との３つのレイヤとともに示されている。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅＮＢとの間のリンクを担当する。
【００２４】
[0037]ユーザプレーンでは、Ｌ２レイヤ５０８は、ネットワーク側のｅＮＢにおいて終端される、媒体アクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含むＬ２レイヤ５０８の上にいくつかの上位レイヤを有し得る。
【００２５】
[0038]ＰＤＣＰサブレイヤ５１４は、異なる無線ベアラと論理チャネルとの間で多重化を行う。ＰＤＣＰサブレイヤ５１４はまた、無線送信オーバーヘッドを低減するために上位レイヤデータパケットのヘッダ圧縮と、データパケットを暗号化することによるセキュリティと、ＵＥに対するｅＮＢ間のハンドオーバサポートとを提供する。ＲＬＣサブレイヤ５１２は、上位レイヤデータパケットのセグメンテーションおよびリアセンブリと、紛失データパケットの再送信と、ハイブリッド自動再送要求（ＨＡＲＱ：hybrid automatic repeat request）による、順序がばらばらの受信を補正するデータパケットの並べ替えとを行う。ＭＡＣサブレイヤ５１０は、論理チャネルとトランスポートチャネルとの間の多重化を提供する。ＭＡＣサブレイヤ５１０はまた、ＵＥの間で１つのセル内の様々な無線リソース（たとえば、リソースブロック）を割り振ることを担当する。ＭＡＣサブレイヤ５１０はまたＨＡＲＱ動作を担当する。
【００２６】
[0039]制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（たとえば、無線ベアラ）を取得することと、ｅＮＢとＵＥとの間のＲＲＣシグナリングを使用して下位レイヤを構成することとを担当する。
【００２７】
[0040]図６は、アクセスネットワーク中でＵＥ６５０と通信しているｅＮＢ６１０のブロック図である。ＤＬでは、コアネットワークからの上位レイヤパケットが、コントローラ／プロセッサ６７５に与えられる。コントローラ／プロセッサ６７５はＬ２レイヤの機能を実装する。ＤＬでは、コントローラ／プロセッサ６７５は、様々な優先度メトリックに基づいてヘッダ圧縮と、暗号化と、パケットのセグメンテーションおよび並べ替えと、論理チャネルとトランスポートチャネルとの間の多重化と、ＵＥ６５０への無線リソース割振りとを行う。コントローラ／プロセッサ６７５はまた、ＨＡＲＱ動作と、紛失パケットの再送信と、ＵＥ６５０へのシグナリングとを担当する。
【００２８】
[0041]送信（ＴＸ）プロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づいた信号コンスタレーションへのマッピングとを可能にするために、コーディングとインターリービングとを含む。次いで、コーディングされた変調されたシンボルは並列ストリームに分割される。各ストリームは、次いでＯＦＤＭサブキャリアにマッピングされ、時間領域および／または周波数領域中で参照信号（たとえば、パイロット）と多重化され、次いで逆高速フーリエ変換（ＩＦＦＴ：Inverse Fast Fourier Transform）を使用して互いに合成されて、時間領域ＯＦＤＭシンボルストリームを搬送する物理チャネルが生成される。ＯＦＤＭストリームは、複数の空間ストリームを生成するために空間的にプリコードされる。チャネル推定器６７４からのチャネル推定値は、コーディングおよび変調方式を決定するために、ならびに空間処理のために使用され得る。チャネル推定値は、ＵＥ６５０によって送信される参照信号および／またはチャネル状態フィードバックから導出され得る。次いで、各空間ストリームは、別個の送信機６１８ＴＸを介して異なるアンテナ６２０に与えられ得る。各送信機６１８ＴＸは、送信のためにそれぞれの空間ストリームでＲＦキャリアを変調し得る。
【００２９】
[0042]ＵＥ６５０において、各受信機６５４ＲＸは、それのそれぞれのアンテナ６５２を通して信号を受信する。各受信機６５４ＲＸは、ＲＦキャリア上に変調された情報を復元し、受信機（ＲＸ）プロセッサ６５６に情報を提供する。ＲＸプロセッサ６５６は、Ｌ１レイヤの様々な信号処理機能を実装する。ＲＸプロセッサ６５６は、ＵＥ６５０に宛てられた任意の空間ストリームを復元するために、情報に対して空間処理を実行し得る。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで高速フーリエ変換（ＦＦＴ：Fast Fourier Transform）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと、参照信号とは、ｅＮＢ６１０によって送信される、可能性が最も高い信号コンスタレーションポイントを決定することによって復元され、復調される。これらの軟判定は、チャネル推定器６５８によって計算されるチャネル推定値に基づき得る。軟判定は、次いで、物理チャネル上でｅＮＢ６１０によって最初に送信されたデータと制御信号とを復元するために復号され、デインターリーブされる。データおよび制御信号は、次いで、コントローラ／プロセッサ６５９に与えられる。
【００３０】
[0043]コントローラ／プロセッサ６５９はＬ２レイヤを実装する。コントローラ／プロセッサは、プログラムコードとデータとを記憶するメモリ６６０に関連付けられ得る。メモリ６６０はコンピュータ可読媒体と呼ばれることがある。ＵＬでは、コントローラ／プロセッサ６５９は、コアネットワークからの上位レイヤパケットを復元するために、トランスポートチャネルと論理チャネルとの間の多重分離と、パケットリアセンブリと、復号（decipher）と、ヘッダ伸長（decompression）と、制御信号処理とを行う。上位レイヤパケットは、次いで、Ｌ２レイヤの上のすべてのプロトコルレイヤを表すデータシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用した誤り検出を担当する。
【００３１】
[0044]ＵＬでは、データソース６６７は、コントローラ／プロセッサ６５９に上位レイヤパケットを提供するために使用される。データソース６６７は、Ｌ２レイヤの上のすべてのプロトコルレイヤを表す。ｅＮＢ６１０によるＤＬ送信に関して説明した機能と同様に、コントローラ／プロセッサ６５９は、ヘッダ圧縮と、暗号化と、パケットのセグメンテーションおよび並べ替えと、ｅＮＢ６１０による無線リソース割振りに基づく論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作、紛失パケットの再送信、およびｅＮＢ６１０へのシグナリングを担当する。
【００３２】
[0045]ｅＮＢ６１０によって送信されるフィードバックまたは参照信号からの、チャネル推定器６５８によって導出されるチャネル推定は、適切なコーディングおよび変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられ得る。各送信機６５４ＴＸは、送信のためにそれぞれの空間ストリームでＲＦキャリアを変調し得る。
【００３３】
[0046]ＵＬ送信は、ＵＥ６５０における受信機機能に関して説明した方法と同様の方法でｅＮＢ６１０において処理される。各受信機６１８ＲＸは、それのそれぞれのアンテナ６２０を通して信号を受信する。各受信機６１８ＲＸは、ＲＦキャリア上で変調された情報を復元し、ＲＸプロセッサ６７０に情報を提供する。ＲＸプロセッサ６７０はＬ１レイヤを実装し得る。
【００３４】
[0047]コントローラ／プロセッサ６７５はＬ２レイヤを実装する。コントローラ／プロセッサ６７５は、プログラムコードとデータとを記憶するメモリ６７６に関連付けられ得る。メモリ６７６はコンピュータ可読媒体と呼ばれてもよい。ＵＬでは、制御／プロセッサ６７５は、ＵＥ６５０からの上位レイヤパケットを復元するために、トランスポートチャネルと論理チャネルとの間の多重分離と、パケットリアセンブリと、復号と、ヘッダ復元と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用した誤り検出を担当する。
【００３５】
[0048]図７は、異種ネットワーク中の範囲拡大セルラー領域を示す図７００である。ＲＲＨ７１０ｂなどのより低い電力クラスのｅＮＢは、ＲＲＨ７１０ｂとマクロｅＮＢ７１０ａとの間の拡張セル間干渉協調と、ＵＥ７２０によって実行される干渉消去とによってセルラー領域７０２から拡大された範囲拡大セルラー領域７０３を有し得る。拡張セル間干渉協調において、ＲＲＨ７１０ｂは、マクロｅＮＢ７１０ａからＵＥ７２０の干渉状態に関する情報を受信する。この情報により、ＲＲＨ７１０ｂは、範囲拡大セルラー領域７０３中のＵＥ７２０をサービスし、ＵＥ７２０が、範囲拡大セルラー領域７０３に入るとき、マクロｅＮＢ７１０ａからのＵＥ７２０のハンドオフを受け入れることが可能になる。
【００３６】
[0049]一態様では、本開示は、２５６値直交振幅変調（ＱＡＭ）に関する。２５６ＱＡＭをサポートするための信号対雑音比（ＳＮＲ）要件は極めて高くなり得、ＵＥは大量の電流を消費する必要があり得る。したがって、本開示は、ＵＥが、いつ低ＳＮＲ低電流モードと高ＳＮＲ高電流モードとの間でトグルすべきかを日和見的に決定することを可能にする方法を提供する。
【００３７】
[0050]図８Ａは、異なる次数の変調およびコーディング方式（ＭＣＳ）についてのアンテナポートにおけるＲＦ電力とＳＮＲ（またはキャリア対雑音比（Ｃ／Ｎ））との間の関係を示す図８００である。特定のＭＣＳ（たとえば、ＱＰＳＫ、１６ＱＡＭ、および６４ＱＡＭ）の場合、ＳＮＲ（Ｃ／Ｎ）は、いくつかのＲＦ電力値にわたって減少し得る（「Ｃ／Ｎディップ」８０２）。無線受信機において高次ＭＣＳ（たとえば、１６ＱＡＭまたは６４ＱＡＭ）においてデータを受信するために、より高いＳＮＲ（Ｃ／Ｎ）が望まれる。デフォルトＵＥ  ＳＮＲは、６４ＱＡＭをサポートするのに十分である。しかしながら、そのようなデフォルトＵＥ  ＳＮＲは、２５６ＱＡＭをサポートするのに十分でない。６４ＱＡＭと比較して、２５６ＱＡＭを使用した測定可能なスループット利得を経験するために、より高い電力消費という犠牲を払った、受信機構成の有意な変更が必要とされる。図８Ａに示されているように、Ｃ／Ｎディップ８０２は、２５６ＱＡＭをサポートするために利得状態を変更することによって除去され得る。
【００３８】
[0051]図８Ｂは、ＵＥのための利得ラインアップの一例を示す図８５０である。たとえば、ＵＥが基地局に近いとき、ＵＥは、高い強度において信号を受信し得る。したがって、ＵＥは低雑音増幅器（ＬＮＡ：low noise amplifier）における高利得出力を必要としないことがあり、ＵＥは低利得ＬＮＡ、低電流状態において動作し得る。ＵＥがセルエッジにある場合、ＵＥは、極めて弱い信号を受信し得る。したがって、ＵＥは、アナログデジタル変換器（ＡＤＣ：analog-to-digital converter）において信号をデジタル化する前に信号を増幅するために大量の電流を消費し得る。したがって、ＵＥがセルエッジにあるとき、ＵＥは、より多くの電流を消費する。
【００３９】
[0052]ＵＥにおける受信信号電力に応じて、異なる利得状態が必要とされる。利得状態が変更されたとき、雑音指数（ＮＦ：noise figure）が変化する。たとえば、４０ｄＢ  ＳＮＲが望まれる場合、低ＮＦが同時に達成されないかもしれない。したがって、ＵＥは、低ＮＦを生成する状態においてＬＮＡを動作させることを強いられる。しかしながら、利得は低下させられる必要があり得る。たとえば、ＬＮＡが高利得モードにおいて動作させられる場合、あまりに多くの信号が受信され、それゆえＡＤＣを圧迫し得る。したがって、必要なことは、ＵＥが同時に低利得および低ＮＦにおいて動作することである。これは、より多くの電流を消費することと、高利得状態においてＬＮＡを動作させることと、ミキサの後に位置するベースバンド増幅器（ＢＢ：base band amplifier）（図８Ｂを参照）において利得をカットすることとによって達成され得る。このようにして、全ＮＦおよび全利得は低下させられる。
【００４０】
[0053]図８Ｂを参照すると、初期利得状態Ｇ０において、全利得出力は５０ｄＢである。利得状態Ｇ１において、ＵＥは基地局の近くにあり得、したがって、５０ｄＢ利得は不要である。たとえば、２５ｄＢ利得で十分であり得る。２５ｄＢ全利得において、ＬＮＡ利得は−５ｄＢであり、ＢＢ利得は３０ｄＢであり、ＮＦは（利得状態Ｇ０におけるＮＦよりも高い）２０ｄＢである。特に、２０ｄＢ  ＮＦは、６４ＱＡＭの場合には十分であり得るが、２５６ＱＡＭの場合には高すぎる。利得状態Ｇ１（２５６ＱＡＭ）において、ＵＥは、１５ｄＢ利得においてＬＮＡを動作させることによって２５ｄＢの全利得を達成するが、ＢＢ利得を１０ｄＢまで低減する。これは、２５６ＱＡＭにおいてデータを受信するのに十分である４ｄＢのＮＦを可能にする。
【００４１】
[0054]図９は、変調およびコーディング方式を決定するためのＵＥ９０２と基地局（またはｅＮＢ）９０４との間の通信を示す図９００である。図１０は、データを受信するためのタイムスロットを示す図１０００である。
【００４２】
[0055]一例では、データファイル（たとえば、動画ファイル）をダウンロードすることを望むＵＥ９０２は、ファイルサイズに気づいていないことがある。他のＵＥのための他のデータとともにデータファイルを保持する基地局バッファ９０６は、ファイルサイズに気づいている。基地局バッファ９０６は、望ましくは、できるだけ早くデータファイルを送ることを望むが、限られた帯域幅のためにそうすることができない。したがって、基地局９０４は、タイムスロット（図１０を参照）上でデータを送るようにスケジュールする。
【００４３】
[0056]基地局９０４がＵＥ９０２に配信することができるデータの量は、ネットワーク中の所与の時間におけるＵＥ９０２のＳＮＲ（Ｃ／Ｎ）に依存し得る。ネットワーク中の各ＵＥ９０２は、所与の時間において異なるＳＮＲ（Ｃ／Ｎ）を有し得る。基地局９０４は、ＵＥのチャネル品質情報（ＣＱＩ）フィードバック９０８に基づいて、タイムスロットごとにＵＥ９０２のためにスケジュールするためにデータの量（たとえば、トランスポートブロックサイズ）を知る。ＣＱＩフィードバック９０８は、ＵＥ９０２によって測定されるＳＮＲ（Ｃ／Ｎ）の推定値を含み得る。各タイムスロットでは、基地局９０４は、ＵＥ９０２に送られるべきデータに関連する帯域幅およびＭＣＳ９１０を割り当て得る。
【００４４】
[0057]一態様では、ＵＥ９０２がタイムスロットを復号するたびに、ＵＥ９０２は、その所与の時間においてＳＮＲ（Ｃ／Ｎ）を決定する。ＵＥ９０２は、基地局９０４にＳＮＲ（Ｃ／Ｎ）９０８をフィードバックし得る。フィードバックに基づいて、基地局９０４は、ＵＥにどのくらいのデータ（トランスポートブロックサイズ）を送るべきか、およびデータにどんなＭＣＳを適用すべきかを決定する。
【００４５】
[0058]各タイムスロット、異なるＭＣＳに従ってＵＥ９０２によって受信されるデータの量は変化し得る。データ量は、ＵＥ９０２が何を受け付ける意思があるか、またはネットワーク中の他のＵＥがどのくらい多くのデータを受信しているかの関数であり得る。
【００４６】
[0059]本開示の一態様では、ＵＥによって受信されるデータの量（利得状態）は受信電力の関数でないことがあるが、そのときに使用されるＭＣＳの関数であり得る。図１０を参照すると、ＵＥが、ｎ個のスロット１００２の間、初期ＭＣＳ（たとえば、ＱＰＳＫまたは６４ＱＡＭ）においてデータを受信した場合、ＵＥは、次のいくつかのスロットの間、初期ＭＣＳにおいてデータを受信している可能性が高い。したがって、ＵＥは、ＵＥがより高いＳＮＲ（Ｃ／Ｎ）、たとえば、約４０ｄＢにおいて受信することが可能であることを基地局に示し得、それにより、基地局に、高次ＭＣＳ（たとえば、２５６ＱＡＭ）１００４においてデータをスケジュールするように促す。これは、ＵＥがより小さい数のタイムスロット中でデータを受信することを可能にする。たとえば、次のＣＱＩフィードバック機会において、ＵＥは利得状態を変更し、ＳＮＲを最大にするために高電流モードにおいて動作し得る。ＵＥは、次いで、ＵＥがより高いＳＮＲ（Ｃ／Ｎ）においてデータを受信することが可能であることを示すＣＱＩフィードバック（ＳＮＲ（Ｃ／Ｎ）フィードバック）を送り、高次ＭＣＳ（１００４）においてデータを受信し始め得る。代替的に、ＵＥが、より高いＳＮＲ（Ｃ／Ｎ）を示すＣＱＩフィードバックを送った後に、データを受信しないか、または初期ＭＣＳ（たとえば、ＱＰＳＫまたは６４ＱＡＭ）においてデータを受信し続ける場合、ＵＥは、基地局が高次ＭＣＳにおいてデータを提供することが可能でないと決定し、低ＳＮＲモード、低電流モードに戻り得る。
【００４７】
[0060]一態様では、図８Ｂに示されているように、ＵＥは、利得状態をＧ１からＧ１（２５６ＱＡＭ）に動かすことによって高ＳＮＲモード（高電流モード）にシフトし得る。これは、低利得と同時に低い雑音指数（ＮＦ）を可能にし、固定高利得低雑音増幅器（ＬＮＡ）状態とポストミキサ調整可能利得ベースバンド増幅器状態とによって達成される。図８Ａを参照すると、ＵＥは、電圧制御発振器（ＶＣＯ：voltage-controlled oscillator）／位相ロックループ（ＰＬＬ：phase-locked loop）電流を増加させること、リアルタイム残差側波帯（ＲＳＢ：residual side band）キャリブレーションを起動すること、および／またはフロントエンド不可逆構成要素（たとえば、フィルタ）をバイパスすることによって、高ＳＮＲモード（高電流モード）にさらにシフトし得る。
【００４８】
[0061]図１１は、ワイヤレス通信の方法のフローチャート１１００である。本方法はＵＥによって実行され得る。ステップ１１０２において、ＵＥは、動作モードを第１の信号対雑音比（ＳＮＲ）モードから増加ＳＮＲモードに変更すると決定する。
【００４９】
[0062]一態様では、ＵＥは、最初にダウンリンクＳＮＲ測定値を取得することによって動作モードを変更すると決定し、その後、ダウンリンクＳＮＲ測定値に基づいて動作モードを増加ＳＮＲモードに変更し得る。別の態様では、ＵＥは、最初に、ＵＥに高次変調およびコーディング方式（ＭＣＳ）に対応する少なくとも１つのＣＱＩ値を使用することを示すシグナリングを基地局から受信することによって動作モードを変更すると決定し、その後、受信されたシグナリングに基づいて動作モードを増加ＳＮＲモードに変更し得る。
【００５０】
[0063]さらなる態様では、ＵＥは、最初に、第１のＳＮＲモードにおいて動作しながら、第１のＭＣＳに従って基地局からデータを受信することによって動作モードを変更すると決定し得る。その後、ＵＥが、いくつかの連続するタイムスロットの間第１のＭＣＳに従ってデータを受信し続ける場合、ＵＥは、送信のためにスケジュールされるのを待つ追加のデータが基地局バッファ中に存在する見込みが高いと決定し得る。したがって、ＵＥは、高次ＭＣＳにおいて追加のデータを受信するために動作モードを増加ＳＮＲモードに変更する。一例では、第１のＭＣＳは６４値直交振幅変調（ＱＡＭ）であり得るが、高次ＭＣＳは２５６ＱＡＭであり得る。別の例では、第１のＭＣＳは４位相シフトキーイング（ＱＰＳＫ）であり得るが、高次ＭＣＳは１６ＱＡＭまたは６４ＱＡＭであり得る。
【００５１】
[0064]一態様では、ＵＥは、１）低雑音指数（ＮＦ）および低利得が、固定された高利得低雑音増幅器（ＬＮＡ）状態とポストミキサ調整可能利得ベースバンド増幅器状態とによって同時に達成されるように利得状態を動かすこと、２）電圧制御発振器（ＶＣＯ）／位相ロックループ（ＰＬＬ）電流を増加させること、３）リアルタイム残差側波帯（ＲＳＢ）キャリブレーションを起動すること、および／または４）フロントエンド不可逆構成要素（たとえば、フィルタ）をバイパスすることによって動作モードを増加ＳＮＲモードに変更し得る。さらなる態様では、ＵＥは、基地局ダウンリンク信号が１）コロケートされるかまたはコロケートされない、および／あるいは２）時間整合されるかまたは時間整合されないネットワーク構成において、マルチキャリアダウンリンクシグナリングを介して、基地局からシグナリングを受信し得る。
【００５２】
[0065]ステップ１１０４において、ＵＥは、増加ＳＮＲにおいてデータを受信する能力を示すチャネル品質情報（ＣＱＩ）を基地局に送る。ステップ１１０６において、ＵＥは、基地局が高次ＭＣＳにおいてデータを提供することが可能である場合、増加ＳＮＲに対応する高次ＭＣＳに従って基地局からデータを受信する。ステップ１１０８において、ＵＥは、基地局が高次ＭＣＳにおいてデータを提供することを完了したと決定する。したがって、ＵＥは、ステップ１１１４に進み、動作モードを第１のＳＮＲモードに戻す。
【００５３】
[0066]代替的に、ステップ１１１０において、ＵＥは、増加ＳＮＲにおいてデータを受信する能力を示すＣＱＩを送った後に、第１のＭＣＳに従ってデータを受信し続けるか、またはデータを受信することに失敗する。したがって、ステップ１１１２において、ＵＥは、基地局が高次ＭＣＳにおいてデータを提供することが可能でないと決定する。その後、ステップ１１１４において、ＵＥは動作モードを第１のＳＮＲモードに戻す。
【００５４】
[0067]図１２は、例示的な装置１２０２の異なるモジュール／手段／構成要素間のデータフローを示す概念データフロー図１２００である。本装置はＵＥであり得る。本装置は、受信モジュール１２０４と、ＳＮＲモード処理モジュール１２０６と、ＣＱＩ処理モジュール１２０８と、データ処理モジュール１２１０と、送信モジュール１２１２とを含む。
【００５５】
[0068]ＳＮＲモード処理モジュール１２０６は、動作モードを第１の信号対雑音比（ＳＮＲ）モードから増加ＳＮＲモードに変更すると決定する。一態様では、ＳＮＲモード処理モジュール１２０６は、最初に（受信モジュール１２０４を介して）ダウンリンクＳＮＲ測定値を取得することによって動作モードを変更すると決定し、その後、ダウンリンクＳＮＲ測定値に基づいて動作モードを増加ＳＮＲモードに変更し得る。
【００５６】
[0069]別の態様では、ＳＮＲモード処理モジュール１２０６は、高次変調およびコーディング方式（ＭＣＳ）に対応する少なくとも１つのＣＱＩ値の使用を示す基地局１２５０からのシグナリングの受信をＣＱＩ処理モジュール１２０８によって通知されたとき、動作モードを変更すると決定し得る。その後、ＳＮＲモード処理モジュール１２０６は、受信されたシグナリングに基づいて動作モードを増加ＳＮＲモードに変更し得る。
【００５７】
[0070]さらなる態様では、ＳＮＲモード処理モジュール１２０６は、基地局１２５０から受信されたデータに基づいて動作モードを変更すると決定し得る。ここで、データ処理モジュール１２１０は、最初に、第１のＳＮＲモードにおいて動作しながら、第１のＭＣＳに従って基地局１２５０からデータを受信し得る。その後、データ処理モジュール１２１０が、いくつかの連続するタイムスロットの間第１のＭＣＳに従ってデータを受信し続ける場合、ＳＮＲモード処理モジュール１２０６は、送信のためにスケジュールされるのを待つ追加のデータが基地局バッファ中に存在する見込みが高いと決定し得る。したがって、ＳＮＲモード処理モジュール１２０６は、高次ＭＣＳにおいて追加のデータを受信するために動作モードを増加ＳＮＲモードに変更する。一例では、第１のＭＣＳは６４値直交振幅変調（ＱＡＭ）であり得るが、高次ＭＣＳは２５６ＱＡＭであり得る。別の例では、第１のＭＣＳは４位相シフトキーイング（ＱＰＳＫ）であり得るが、高次ＭＣＳは１６ＱＡＭまたは６４ＱＡＭであり得る。
【００５８】
[0071]一態様では、ＳＮＲモード処理モジュール１２０６は、１）低雑音指数（ＮＦ）および低利得が、固定された高利得低雑音増幅器（ＬＮＡ）状態とポストミキサ調整可能利得ベースバンド増幅器状態とによって同時に達成されるように利得状態を動かすこと、２）電圧制御発振器（ＶＣＯ）／位相ロックループ（ＰＬＬ）電流を増加させること、３）リアルタイム残差側波帯（ＲＳＢ）キャリブレーションを起動すること、および／または４）フロントエンド不可逆構成要素（たとえば、フィルタ）をバイパスすることによって動作モードを増加ＳＮＲモードに変更し得る。さらなる態様では、受信モジュール１２０４は、基地局ダウンリンク信号が１）コロケートされるかまたはコロケートされない、および／または、２）時間整合されるかまたは時間整合されないネットワーク構成において、マルチキャリアダウンリンクシグナリングを介して、基地局１２５０からシグナリングを受信し得る。
【００５９】
[0072]ＣＱＩ処理モジュール１２０８は、増加ＳＮＲにおいてデータを受信する装置１２０２の能力を示すチャネル品質情報（ＣＱＩ）を基地局１２５０に（送信モジュール１２１２を介して）送る。データ処理モジュール１２１０は、基地局１２５０が高次ＭＣＳにおいてデータを提供することが可能である場合、増加ＳＮＲに対応する高次ＭＣＳに従って基地局１２５０からデータを受信する。データ処理モジュール１２１０は、基地局１２５０が高次ＭＣＳにおいてデータを提供することを完了したと決定し得る。したがって、ＳＮＲモード処理モジュール１２０６は、動作モードを第１のＳＮＲモードに戻し得る。
【００６０】
[0073]代替的に、データ処理モジュール１２１０は、ＣＱＩ処理モジュール１２０８が増加ＳＮＲにおいてデータを受信する能力を示すＣＱＩを送った後に、第１のＭＣＳに従ってデータを受信し続けるか、またはデータを受信することに失敗し得る。したがって、ＳＮＲモード処理モジュール１２０６は、基地局１２５０が高次ＭＣＳにおいてデータを提供することが可能でないと決定し得る。その後、ＳＮＲモード処理モジュール１２０６は動作モードを第１のＳＮＲモードに戻し得る。
【００６１】
[0074]本装置は、図１１の上述のフローチャート中のアルゴリズムのステップの各々を実行する追加のモジュールを含み得る。したがって、図１１の上述のフローチャート中の各ステップは１つのモジュールによって実行され得、本装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００６２】
[0075]図１３は、処理システム１３１４を採用する装置１２０２’のためのハードウェア実装形態の一例を示す図１３００である。処理システム１３１４は、バス１３２４によって概略的に表されるバスアーキテクチャを用いて実装され得る。バス１３２４は、処理システム１３１４の特定の適用例および全体的な設計制約に依存して、任意の数の相互接続バスおよびブリッジを含み得る。バス１３２４は、プロセッサ１３０４によって表される１つまたは複数のプロセッサおよび／またはハードウェアモジュールと、モジュール１２０４、１２０６、１２０８、１２１０、１２１２と、コンピュータ可読媒体／メモリ１３０６とを含む様々な回路を互いにリンクする。バス１３２４はまた、タイミングソース、周辺機器、電圧調整器、および電力管理回路など、様々な他の回路をリンクし得るが、これらの回路は当技術分野においてよく知られており、したがって、これ以上説明しない。
【００６３】
[0076]処理システム１３１４はトランシーバ１３１０に結合され得る。トランシーバ１３１０は、１つまたは複数のアンテナ１３２０に結合される。トランシーバ１３１０は、伝送媒体を介して様々な他の装置と通信するための手段を提供する。トランシーバ１３１０は、１つまたは複数のアンテナ１３２０から信号を受信し、受信された信号から情報を抽出し、抽出された情報を処理システム１３１４、特に受信モジュール１２０４に提供する。さらに、トランシーバ１３１０は、処理システム１３１４、特に送信モジュール１２１２から情報を受信し、受信された情報に基づいて、１つまたは複数のアンテナ１３２０に適用されるべき信号を生成する。処理システム１３１４は、コンピュータ可読媒体／メモリ１３０６に結合されたプロセッサ１３０４を含む。プロセッサ１３０４は、コンピュータ可読媒体／メモリ１３０６に記憶されたソフトウェアの実行を含む一般的な処理を担当する。ソフトウェアは、プロセッサ１３０４によって実行されたとき、処理システム１３１４に、特定の装置のための上記で説明された様々な機能を実行させる。コンピュータ可読媒体／メモリ１３０６はまた、ソフトウェアを実行するときにプロセッサ１３０４によって操作されるデータを記憶するために使用され得る。処理システムは、モジュール１２０４、１２０６、１２０８、１２１０、および１２１２のうちの少なくとも１つをさらに含む。それらのモジュールは、プロセッサ１３０４中で動作するか、コンピュータ可読媒体／メモリ１３０６中に常駐する／記憶されたソフトウェアモジュールであるか、プロセッサ１３０４に結合された１つまたは複数のハードウェアモジュールであるか、またはそれらの何らかの組合せであり得る。処理システム１３１４は、ＵＥ６５０の構成要素であり得、メモリ６６０および／またはＴＸプロセッサ６６８と、ＲＸプロセッサ６５６と、コントローラ／プロセッサ６５９とのうちの少なくとも１つを含み得る。
【００６４】
[0077]一構成では、ワイヤレス通信用装置１２０２／１２０２’は、動作モードを第１の信号対雑音比（ＳＮＲ）モードから増加ＳＮＲモードに変更すると決定するための手段と、増加ＳＮＲにおいてデータを受信する能力を示すチャネル品質情報（ＣＱＩ）を基地局に送るための手段と、基地局が高次変調およびコーディング方式（ＭＣＳ）においてデータを提供することが可能である場合、増加ＳＮＲに対応する高次ＭＣＳに従って基地局からデータを受信するための手段と、増加ＳＮＲにおいてデータを受信する能力を示すＣＱＩを送った後に、第１のＭＣＳに従ってデータを受信し続けるか、またはデータを受信することに失敗するための手段と、基地局が高次ＭＣＳにおいてデータを提供することが可能でないと決定するための手段と、動作モードを第１のＳＮＲモードに戻すための手段とを含む。
【００６５】
[0078]上述の手段は、上述の手段によって具陳される機能を実行するように構成される、装置１２０２の上述のモジュールおよび／または装置１２０２’の処理システム１３１４のうちの１つまたは複数であり得る。上記で説明したように、処理システム１３１４は、ＴＸプロセッサ６６８と、ＲＸプロセッサ６５６と、コントローラ／プロセッサ６５９とを含み得る。したがって、一構成では、上述の手段は、上述の手段によって具陳される機能を実行するように構成された、ＴＸプロセッサ６６８と、ＲＸプロセッサ６５６と、コントローラ／プロセッサ６５９とであり得る。
【００６６】
[0079]開示したプロセスにおけるステップの特定の順序または階層は、例示的な手法の一例であることを理解されたい。設計上の選好に基づいて、プロセスにおけるステップの特定の順序または階層は並べ替えられ得ることを理解されたい。さらに、いくつかのステップは組み合わされるかまたは省略され得る。添付の方法クレームは、様々なステップの要素を例示的な順序で提示したものであり、提示された特定の順序または階層に限定されるものではない。
【００６７】
[0080]以上の説明は、当業者が本明細書で説明された様々な態様を実行できるようにするために提供される。これらの態様に対する様々な変更は当業者には容易に明らかであり、本明細書で定義した一般的原理は他の態様に適用され得る。したがって、特許請求の範囲は、本明細書に示された態様に限定されるものではなく、特許請求の言い回しに矛盾しない全範囲を与えられるべきであり、単数形の要素への言及は、そのように明記されていない限り、「唯一無二の」を意味するものではなく、「１つまたは複数の」を意味するものである。「例示的」という単語は、本明細書では「例、事例、または例示の働きをすること」を意味するために使用する。「例示的」として本明細書で説明するいかなる態様も、必ずしも他の態様よりも好適または有利なものと解釈すべきではない。別段に明記されていない限り、「いくつかの」という語は「１つまたは複数の」を表す。「Ａ、Ｂ、またはＣのうちの少なくとも１つ」、「Ａ、Ｂ、およびＣのうちの少なくとも１つ」、ならびに「Ａ、Ｂ、Ｃ、またはそれらの任意の組合せ」などの組合せは、Ａ、Ｂ、および／またはＣの任意の組合せを含み、Ａのうちの複数個、Ｂのうちの複数個、またはＣのうちの複数個を含み得る。詳細には、「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ただし、いずれのそのような組合せも、Ａ、Ｂ、またはＣのうちの１つまたは複数のメンバーを含み得る。当業者に知られている、または後に知られることになる、本開示全体にわたって説明された様々な態様の要素のすべての構造的および機能的均等物は、参照により本明細書に明確に組み込まれ、特許請求の範囲に包含されるものである。さらに、本明細書で開示されたいかなることも、そのような開示が特許請求の範囲に明示的に具陳されているかどうかにかかわらず、公に供するものではない。いかなるクレーム要素も、その要素が「ための手段（means for）」という語句を使用して明確に具陳されていない限り、ミーンズプラスファンクションとして解釈されるべきではない。
【図２】
2017501596.tif 000003
【図７】
2017501596.tif 000004
【図１】
2017501596.tif 000005
【図３】
2017501596.tif 000006
【図４】
2017501596.tif 000007
【図５】
2017501596.tif 000008
【図６】
2017501596.tif 000009
【図８Ａ】
2017501596.tif 000010
【図８Ｂ】
2017501596.tif 000011
【図９】
2017501596.tif 000012
【図１０】
2017501596.tif 000013
【図１１】
2017501596.tif 000014
【図１２】
2017501596.tif 000015
【図１３】
2017501596.tif 000016
【手続補正書】
【提出日】平成28年5月30日(2016.5.30)
【手続補正１】
【補正対象書類名】特許請求の範囲
【補正対象項目名】全文
【補正方法】変更
【補正の内容】
【特許請求の範囲】
【請求項１】
受信機を含むユーザ機器（ＵＥ）のワイヤレス通信の方法であって、
動作モードを第１の信号対雑音比（ＳＮＲ）モードから増加ＳＮＲモードに変更することと、前記動作モードは、前記受信機内の低雑音増幅器またはベースバンド増幅器のうちの少なくとも１つの利得状態を調整することによって変更される、
前記増加ＳＮＲにおいてデータを受信する能力を示すチャネル品質情報（ＣＱＩ）を基地局に送ることと、
前記基地局が高次変調およびコーディング方式（ＭＣＳ）において前記データを提供することが可能である場合、前記増加ＳＮＲに対応する前記高次ＭＣＳに従って前記基地局から前記データを受信することと
を具備する、方法。
【請求項２】
前記動作モードを前記変更することは、
ダウンリンクＳＮＲ測定値を取得することと、
前記ダウンリンクＳＮＲ測定値に基づいて前記動作モードを前記増加ＳＮＲモードに変更することと
を具備する、請求項１の方法。
【請求項３】
前記動作モードを前記変更することは、
前記基地局から、前記高次ＭＣＳに対応する少なくとも１つのＣＱＩ値を使用するためのシグナリングを受信することと、
前記受信されたシグナリングに基づいて前記動作モードを前記増加ＳＮＲモードに変更することと
を具備する、請求項１の方法。
【請求項４】
前記動作モードを前記変更することは、
前記第１のＳＮＲモードにおいて動作しながら、第１のＭＣＳに従って前記基地局からデータを受信することと、
複数の連続するタイムスロットに関する前記第１のＭＣＳに従って前記基地局から前記データを受信した後に、前記動作モードを前記増加ＳＮＲモードに変更することと
を具備する、請求項１の方法。
【請求項５】
前記増加ＳＮＲにおいて前記データを受信する前記能力を示す前記ＣＱＩを送った後に、前記第１のＭＣＳに従って前記データを受信し続けるか、またはデータを受信することに失敗することと、
前記基地局が前記高次ＭＣＳにおいて前記データを提供することができないと決定することと、
前記動作モードを前記第１のＳＮＲモードに戻すことと
をさらに具備する、請求項４の方法。
【請求項６】
前記第１のＭＣＳが６４値直交振幅変調（ＱＡＭ）を具備し、前記高次ＭＣＳが２５６ＱＡＭを具備する、請求項４の方法。
【請求項７】
前記第１のＭＣＳが４位相シフトキーイング（ＱＰＳＫ）を具備し、前記高次ＭＣＳが１６値直交振幅変調（ＱＡＭ）または６４ＱＡＭを具備する、請求項４の方法。
【請求項８】
前記受信機内の前記低雑音増幅器または前記ベースバンド増幅器のうちの前記少なくとも１つの前記利得状態を調整することは、
低雑音指数（ＮＦ）および低利得が、前記低雑音増幅器の固定された高利得低雑音増幅器状態と、前記ベースバンド増幅器のポストミキサ調整可能利得ベースバンド増幅器状態とによって同時に達成されるように前記利得状態を動かすこと
を備える、請求項１の方法。
【請求項９】
前記動作モードは、
電圧制御発振器（ＶＣＯ）／位相ロックループ（ＰＬＬ）電流を増加させること、
リアルタイム残差側波帯（ＲＳＢ）キャリブレーションを起動すること、または
フロントエンド不可逆構成要素をバイパスすること
のうちの少なくとも１つによって前記増加ＳＮＲモードにさらに変更される、請求項１の方法。
【請求項１０】
前記基地局からのシグナリングは、基地局ダウンリンク信号が、
コロケートされるかまたはコロケートされない、あるいは
時間整合されるかまたは時間整合されない
ネットワーク構成において、マルチキャリアダウンリンクシグナリングを介して受信される、請求項９の方法。
【請求項１１】
受信機を含むユーザ機器（ＵＥ）であるワイヤレス通信用装置であって、
動作モードを第１の信号対雑音比（ＳＮＲ）モードから増加ＳＮＲモードに変更するための手段と、前記動作モードは、前記受信機内の低雑音増幅器またはベースバンド増幅器のうちの少なくとも１つの利得状態を調整することによって変更される、
前記増加ＳＮＲにおいてデータを受信する能力を示すチャネル品質情報（ＣＱＩ）を基地局に送るための手段と、
前記基地局が高次変調およびコーディング方式（ＭＣＳ）において前記データを提供することが可能である場合、前記増加ＳＮＲに対応する前記高次ＭＣＳに従って前記基地局から前記データを受信するための手段と
を具備する、装置。
【請求項１２】
前記動作モードを変更するための前記手段は、
ダウンリンクＳＮＲ測定値を取得し、
前記ダウンリンクＳＮＲ測定値に基づいて前記動作モードを前記増加ＳＮＲモードに変更する
ように構成される、請求項１１の装置。
【請求項１３】
前記動作モードを変更するための前記手段は、
前記基地局から、前記高次ＭＣＳに対応する少なくとも１つのＣＱＩ値を使用するためのシグナリングを受信し、
前記受信されたシグナリングに基づいて前記動作モードを前記増加ＳＮＲモードに変更する
ように構成される、請求項１１の装置。
【請求項１４】
前記動作モードを変更するための前記手段は、
前記第１のＳＮＲモードにおいて動作しながら、第１のＭＣＳに従って前記基地局からデータを受信し、
複数の連続するタイムスロットに関する前記第１のＭＣＳに従って前記基地局から前記データを受信した後に、前記動作モードを前記増加ＳＮＲモードに変更する
ように構成される、請求項１１の装置。
【請求項１５】
前記増加ＳＮＲにおいて前記データを受信する前記能力を示す前記ＣＱＩを送った後に、前記第１のＭＣＳに従って前記データを受信し続けるか、またはデータを受信することに失敗するための手段と、
前記基地局が前記高次ＭＣＳにおいて前記データを提供することができないと決定するための手段と、
前記動作モードを前記第１のＳＮＲモードに戻すための手段と
をさらに具備する、請求項１４の装置。
【請求項１６】
前記第１のＭＣＳが６４値直交振幅変調（ＱＡＭ）を具備し、前記高次ＭＣＳが２５６ＱＡＭを具備する、請求項１４の装置。
【請求項１７】
前記第１のＭＣＳが４位相シフトキーイング（ＱＰＳＫ）を具備し、前記高次ＭＣＳが１６値直交振幅変調（ＱＡＭ）または６４ＱＡＭを具備する、請求項１４の装置。
【請求項１８】
前記受信機内の前記低雑音増幅器または前記ベースバンド増幅器のうちの前記少なくとも１つの前記利得状態を調整することは、
低雑音指数（ＮＦ）および低利得が、前記低雑音増幅器の固定された高利得低雑音増幅器状態と、前記ベースバンド増幅器のポストミキサ調整可能利得ベースバンド増幅器状態とによって同時に達成されるように前記利得状態を動かすこと
を備える、請求項１１の装置。
【請求項１９】
前記動作モードは、
電圧制御発振器（ＶＣＯ）／位相ロックループ（ＰＬＬ）電流を増加させること、
リアルタイム残差側波帯（ＲＳＢ）キャリブレーションを起動すること、または
フロントエンド不可逆構成要素をバイパスすること
のうちの少なくとも１つによって前記増加ＳＮＲモードにさらに変更される、請求項１１の装置。
【請求項２０】
前記基地局からのシグナリングは、基地局ダウンリンク信号が、
コロケートされるかまたはコロケートされない、あるいは
時間整合されるかまたは時間整合されない
ネットワーク構成において、マルチキャリアダウンリンクシグナリングを介して受信される、請求項１９の装置。
【請求項２１】
受信機を含むユーザ機器（ＵＥ）であるワイヤレス通信用装置であって、
メモリと、
前記メモリに接続される少なくとも１つのプロセッサと
を具備し、前記少なくとも１つのプロセッサは、
動作モードを第１の信号対雑音比（ＳＮＲ）モードから増加ＳＮＲモードに変更し、前記動作モードは、前記受信機内の低雑音増幅器またはベースバンド増幅器のうちの少なくとも１つの利得状態の調整によって変更される、
前記増加ＳＮＲにおいてデータを受信する能力を示すチャネル品質情報（ＣＱＩ）を基地局に送り、
前記基地局が高次変調およびコーディング方式（ＭＣＳ）において前記データを提供することが可能である場合、前記増加ＳＮＲに対応する前記高次ＭＣＳに従って前記基地局から前記データを受信する
ように構成される、装置。
【請求項２２】
前記動作モードを変更するように構成される前記少なくとも１つのプロセッサは、
ダウンリンクＳＮＲ測定値を取得し、
前記ダウンリンクＳＮＲ測定値に基づいて前記動作モードを前記増加ＳＮＲモードに変更する
ように構成される、請求項２１の装置。
【請求項２３】
前記動作モードを変更するように構成される前記少なくとも１つのプロセッサは、
前記基地局から、前記高次ＭＣＳに対応する少なくとも１つのＣＱＩ値を使用するためのシグナリングを受信し、
前記受信されたシグナリングに基づいて前記動作モードを前記増加ＳＮＲモードに変更する
ように構成される、請求項２１の装置。
【請求項２４】
前記動作モードを変更するように構成される前記少なくとも１つのプロセッサが、
前記第１のＳＮＲモードにおいて動作しながら、第１のＭＣＳに従って前記基地局からデータを受信し、
複数の連続するタイムスロットに関する前記第１のＭＣＳに従って前記基地局から前記データを受信した後に、前記動作モードを前記増加ＳＮＲモードに変更する
ように構成される、請求項２１の装置。
【請求項２５】
前記少なくとも１つのプロセッサは、
前記増加ＳＮＲにおいて前記データを受信する前記能力を示す前記ＣＱＩを送った後に、前記第１のＭＣＳに従って前記データを受信し続けるか、またはデータを受信することに失敗し、
前記基地局が前記高次ＭＣＳにおいて前記データを提供することができないと決定し、
前記動作モードを前記第１のＳＮＲモードに戻す
ようにさらに構成される、請求項２４の装置。
【請求項２６】
前記第１のＭＣＳが６４値直交振幅変調（ＱＡＭ）を具備し、前記高次ＭＣＳが２５６ＱＡＭを具備する、請求項２４の装置。
【請求項２７】
前記第１のＭＣＳが４位相シフトキーイング（ＱＰＳＫ）を具備し、前記高次ＭＣＳが１６値直交振幅変調（ＱＡＭ）または６４ＱＡＭを具備する、請求項２４の装置。
【請求項２８】
前記受信機内の前記低雑音増幅器または前記ベースバンド増幅器のうちの前記少なくとも１つの前記利得状態の前記調整は、
低雑音指数（ＮＦ）および低利得が、前記低雑音増幅器の固定された高利得低雑音増幅器状態と、前記ベースバンド増幅器のポストミキサ調整可能利得ベースバンド増幅器状態とによって同時に達成されるように前記利得状態を動かすこと
を備える、請求項２１の装置。
【請求項２９】
前記動作モードは、
電圧制御発振器（ＶＣＯ）／位相ロックループ（ＰＬＬ）電流を増加させること、
リアルタイム残差側波帯（ＲＳＢ）キャリブレーションを起動すること、または
フロントエンド不可逆構成要素をバイパスすること
のうちの少なくとも１つによって前記増加ＳＮＲモードにさらに変更される、請求項２１の装置。
【請求項３０】
前記基地局からのシグナリングは、基地局ダウンリンク信号が、
コロケートされるかまたはコロケートされない、あるいは
時間整合されるかまたは時間整合されない
ネットワーク構成において、マルチキャリアダウンリンクシグナリングを介して受信される、請求項２９の装置。
【請求項３１】
受信機を含むユーザ機器（ＵＥ）のワイヤレス通信のためのコンピュータ実行可能なコードを記憶するコンピュータ可読媒体であって、
動作モードを第１の信号対雑音比（ＳＮＲ）モードから増加ＳＮＲモードに変更し、前記動作モードは、前記受信機内の低雑音増幅器またはベースバンド増幅器のうちの少なくとも１つの利得状態を調整することによって変更される、
前記増加ＳＮＲにおいてデータを受信する能力を示すチャネル品質情報（ＣＱＩ）を基地局に送り、
前記基地局が高次変調およびコーディング方式（ＭＣＳ）において前記データを提供することが可能である場合、前記増加ＳＮＲに対応する前記高次ＭＣＳに従って前記基地局から前記データを受信する
ためのコードを具備する、コンピュータ可読媒体。
【手続補正２】
【補正対象書類名】明細書
【補正対象項目名】００６７
【補正方法】変更
【補正の内容】
【００６７】
[0080]以上の説明は、当業者が本明細書で説明された様々な態様を実行できるようにするために提供される。これらの態様に対する様々な変更は当業者には容易に明らかであり、本明細書で定義した一般的原理は他の態様に適用され得る。したがって、特許請求の範囲は、本明細書に示された態様に限定されるものではなく、特許請求の言い回しに矛盾しない全範囲を与えられるべきであり、単数形の要素への言及は、そのように明記されていない限り、「唯一無二の」を意味するものではなく、「１つまたは複数の」を意味するものである。「例示的」という単語は、本明細書では「例、事例、または例示の働きをすること」を意味するために使用する。「例示的」として本明細書で説明するいかなる態様も、必ずしも他の態様よりも好適または有利なものと解釈すべきではない。別段に明記されていない限り、「いくつかの」という語は「１つまたは複数の」を表す。「Ａ、Ｂ、またはＣのうちの少なくとも１つ」、「Ａ、Ｂ、およびＣのうちの少なくとも１つ」、ならびに「Ａ、Ｂ、Ｃ、またはそれらの任意の組合せ」などの組合せは、Ａ、Ｂ、および／またはＣの任意の組合せを含み、Ａのうちの複数個、Ｂのうちの複数個、またはＣのうちの複数個を含み得る。詳細には、「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ただし、いずれのそのような組合せも、Ａ、Ｂ、またはＣのうちの１つまたは複数のメンバーを含み得る。当業者に知られている、または後に知られることになる、本開示全体にわたって説明された様々な態様の要素のすべての構造的および機能的均等物は、参照により本明細書に明確に組み込まれ、特許請求の範囲に包含されるものである。さらに、本明細書で開示されたいかなることも、そのような開示が特許請求の範囲に明示的に具陳されているかどうかにかかわらず、公に供するものではない。いかなるクレーム要素も、その要素が「ための手段（means for）」という語句を使用して明確に具陳されていない限り、ミーンズプラスファンクションとして解釈されるべきではない。
以下に、本願出願の当初の特許請求の範囲に記載された発明を付記する。
［Ｃ１］
動作モードを第１の信号対雑音比（ＳＮＲ）モードから増加ＳＮＲモードに変更することを決定することと、
前記増加ＳＮＲにおいてデータを受信する能力を示すチャネル品質情報（ＣＱＩ）を基地局に送ることと、
前記基地局が高次変調およびコーディング方式（ＭＣＳ）において前記データを提供することが可能である場合、前記増加ＳＮＲに対応する前記高次ＭＣＳに従って前記基地局から前記データを受信することと
を具備する、ワイヤレス通信の方法。
［Ｃ２］
前記動作モードを変更することを前記決定することは、
ダウンリンクＳＮＲ測定値を取得することと、
前記ダウンリンクＳＮＲ測定値に基づいて前記動作モードを前記増加ＳＮＲモードに変更することと
を具備する、Ｃ１の方法。
［Ｃ３］
前記動作モードを変更することを前記決定することは、
前記基地局から、前記高次ＭＣＳに対応する少なくとも１つのＣＱＩ値を使用するためのシグナリングを受信することと、
前記受信されたシグナリングに基づいて前記動作モードを前記増加ＳＮＲモードに変更することと
を具備する、Ｃ１の方法。
［Ｃ４］
前記動作モードを変更することを前記決定することは、
前記第１のＳＮＲモードにおいて動作しながら、第１のＭＣＳに従って前記基地局からデータを受信することと、
複数の連続するタイムスロットに関する前記第１のＭＣＳに従って前記基地局から前記データを受信した後に、前記動作モードを前記増加ＳＮＲモードに変更することと
を具備する、Ｃ１の方法。
［Ｃ５］
前記増加ＳＮＲにおいて前記データを受信する前記能力を示す前記ＣＱＩを送った後に、前記第１のＭＣＳに従って前記データを受信し続けるか、またはデータを受信することに失敗することと、
前記基地局が前記高次ＭＣＳにおいて前記データを提供することができないと決定することと、
前記動作モードを前記第１のＳＮＲモードに戻すことと
をさらに具備する、Ｃ４の方法。
［Ｃ６］
前記第１のＭＣＳが６４値直交振幅変調（ＱＡＭ）を具備し、前記高次ＭＣＳが２５６ＱＡＭを具備する、Ｃ４の方法。
［Ｃ７］
前記第１のＭＣＳが４位相シフトキーイング（ＱＰＳＫ）を具備し、前記高次ＭＣＳが１６値直交振幅変調（ＱＡＭ）または６４ＱＡＭを具備する、Ｃ４の方法。
［Ｃ８］
前記動作モードは、
低雑音指数（ＮＦ）および低利得が、固定された高利得低雑音増幅器（ＬＮＡ）状態とポストミキサ調整可能利得ベースバンド増幅器状態とによって同時に達成されるように利得状態を動かすこと、
電圧制御発振器（ＶＣＯ）／位相ロックループ（ＰＬＬ）電流を増加させること、
リアルタイム残差側波帯（ＲＳＢ）キャリブレーションを起動すること、または
フロントエンド不可逆構成要素をバイパスすること
のうちの少なくとも１つによって前記増加ＳＮＲモードに変更される、Ｃ１の方法。
［Ｃ９］
前記基地局からのシグナリングは、基地局ダウンリンク信号が、
コロケートされるかまたはコロケートされない、あるいは
時間整合されるかまたは時間整合されない
ネットワーク構成において、マルチキャリアダウンリンクシグナリングを介して受信される、Ｃ８の方法。
［Ｃ１０］
動作モードを第１の信号対雑音比（ＳＮＲ）モードから増加ＳＮＲモードに変更することを決定するための手段と、
前記増加ＳＮＲにおいてデータを受信する能力を示すチャネル品質情報（ＣＱＩ）を基地局に送るための手段と、
前記基地局が高次変調およびコーディング方式（ＭＣＳ）において前記データを提供することが可能である場合、前記増加ＳＮＲに対応する前記高次ＭＣＳに従って前記基地局から前記データを受信するための手段と
を具備する、ワイヤレス通信用装置。
［Ｃ１１］
前記動作モードを変更することを決定するための前記手段は、
ダウンリンクＳＮＲ測定値を取得し、
前記ダウンリンクＳＮＲ測定値に基づいて前記動作モードを前記増加ＳＮＲモードに変更する
ように構成される、Ｃ１０の装置。
［Ｃ１２］
前記動作モードを変更することを決定するための前記手段は、
前記基地局から、前記高次ＭＣＳに対応する少なくとも１つのＣＱＩ値を使用するためのシグナリングを受信し、
前記受信されたシグナリングに基づいて前記動作モードを前記増加ＳＮＲモードに変更する
ように構成される、Ｃ１０の装置。
［Ｃ１３］
前記動作モードを変更することを決定するための前記手段は、
前記第１のＳＮＲモードにおいて動作しながら、第１のＭＣＳに従って前記基地局からデータを受信し、
複数の連続するタイムスロットに関する前記第１のＭＣＳに従って前記基地局から前記データを受信した後に、前記動作モードを前記増加ＳＮＲモードに変更する
ように構成される、Ｃ１０の装置。
［Ｃ１４］
前記増加ＳＮＲにおいて前記データを受信する前記能力を示す前記ＣＱＩを送った後に、前記第１のＭＣＳに従って前記データを受信し続けるか、またはデータを受信することに失敗するための手段と、
前記基地局が前記高次ＭＣＳにおいて前記データを提供することができないと決定するための手段と、
前記動作モードを前記第１のＳＮＲモードに戻すための手段と
をさらに具備する、Ｃ１３の装置。
［Ｃ１５］
前記第１のＭＣＳが６４値直交振幅変調（ＱＡＭ）を具備し、前記高次ＭＣＳが２５６ＱＡＭを具備する、Ｃ１３の装置。
［Ｃ１６］
前記第１のＭＣＳが４位相シフトキーイング（ＱＰＳＫ）を具備し、前記高次ＭＣＳが１６値直交振幅変調（ＱＡＭ）または６４ＱＡＭを具備する、Ｃ１３の装置。
［Ｃ１７］
前記動作モードは、
低雑音指数（ＮＦ）および低利得が、固定された高利得低雑音増幅器（ＬＮＡ）状態とポストミキサ調整可能利得ベースバンド増幅器状態とによって同時に達成されるように利得状態を動かすこと、
電圧制御発振器（ＶＣＯ）／位相ロックループ（ＰＬＬ）電流を増加させること、
リアルタイム残差側波帯（ＲＳＢ）キャリブレーションを起動すること、または
フロントエンド不可逆構成要素をバイパスすること
のうちの少なくとも１つによって前記増加ＳＮＲモードに変更される、Ｃ１０の装置。
［Ｃ１８］
前記基地局からのシグナリングは、基地局ダウンリンク信号が、
コロケートされるかまたはコロケートされない、あるいは
時間整合されるかまたは時間整合されない
ネットワーク構成において、マルチキャリアダウンリンクシグナリングを介して受信される、Ｃ１７の装置。
［Ｃ１９］
メモリと、
前記メモリに接続される少なくとも１つのプロセッサと
を具備し、前記少なくとも１つのプロセッサは、
動作モードを第１の信号対雑音比（ＳＮＲ）モードから増加ＳＮＲモードに変更することを決定し、
前記増加ＳＮＲにおいてデータを受信する能力を示すチャネル品質情報（ＣＱＩ）を基地局に送り、
前記基地局が高次変調およびコーディング方式（ＭＣＳ）において前記データを提供することが可能である場合、前記増加ＳＮＲに対応する前記高次ＭＣＳに従って前記基地局から前記データを受信する
ように構成される、ワイヤレス通信用装置。
［Ｃ２０］
前記動作モードを変更することを決定するように構成される前記少なくとも１つのプロセッサは、
ダウンリンクＳＮＲ測定値を取得し、
前記ダウンリンクＳＮＲ測定値に基づいて前記動作モードを前記増加ＳＮＲモードに変更する
ように構成される、Ｃ１９の装置。
［Ｃ２１］
前記動作モードを変更することを決定するように構成される前記少なくとも１つのプロセッサは、
前記基地局から、前記高次ＭＣＳに対応する少なくとも１つのＣＱＩ値を使用するためのシグナリングを受信し、
前記受信されたシグナリングに基づいて前記動作モードを前記増加ＳＮＲモードに変更する
ように構成される、Ｃ１９の装置。
［Ｃ２２］
前記動作モードを変更することを決定するように構成される前記少なくとも１つのプロセッサが、
前記第１のＳＮＲモードにおいて動作しながら、第１のＭＣＳに従って前記基地局からデータを受信し、
複数の連続するタイムスロットに関する前記第１のＭＣＳに従って前記基地局から前記データを受信した後に、前記動作モードを前記増加ＳＮＲモードに変更する
ように構成される、Ｃ１９の装置。
［Ｃ２３］
前記少なくとも１つのプロセッサは、
前記増加ＳＮＲにおいて前記データを受信する前記能力を示す前記ＣＱＩを送った後に、前記第１のＭＣＳに従って前記データを受信し続けるか、またはデータを受信することに失敗し、
前記基地局が前記高次ＭＣＳにおいて前記データを提供することができないと決定し、
前記動作モードを前記第１のＳＮＲモードに戻す
ようにさらに構成される、Ｃ２２の装置。
［Ｃ２４］
前記第１のＭＣＳが６４値直交振幅変調（ＱＡＭ）を具備し、前記高次ＭＣＳが２５６ＱＡＭを具備する、Ｃ２２の装置。
［Ｃ２５］
前記第１のＭＣＳが４位相シフトキーイング（ＱＰＳＫ）を具備し、前記高次ＭＣＳが１６値直交振幅変調（ＱＡＭ）または６４ＱＡＭを具備する、Ｃ２２の装置。
［Ｃ２６］
前記動作モードは、
低雑音指数（ＮＦ）および低利得が、固定された高利得低雑音増幅器（ＬＮＡ）状態とポストミキサ調整可能利得ベースバンド増幅器状態とによって同時に達成されるように利得状態を動かすこと、
電圧制御発振器（ＶＣＯ）／位相ロックループ（ＰＬＬ）電流を増加させること、
リアルタイム残差側波帯（ＲＳＢ）キャリブレーションを起動すること、または
フロントエンド不可逆構成要素をバイパスすること
のうちの少なくとも１つによって前記増加ＳＮＲモードに変更される、Ｃ１９の装置。
［Ｃ２７］
前記基地局からのシグナリングは、基地局ダウンリンク信号が、
コロケートされるかまたはコロケートされない、あるいは
時間整合されるかまたは時間整合されない
ネットワーク構成において、マルチキャリアダウンリンクシグナリングを介して受信される、Ｃ２６の装置。
［Ｃ２８］
動作モードを第１の信号対雑音比（ＳＮＲ）モードから増加ＳＮＲモードに変更すると決定し、
前記増加ＳＮＲにおいてデータを受信する能力を示すチャネル品質情報（ＣＱＩ）を基地局に送り、
前記基地局が高次変調およびコーディング方式（ＭＣＳ）において前記データを提供することが可能である場合、前記増加ＳＮＲに対応する前記高次ＭＣＳに従って前記基地局から前記データを受信する
ためのコードを具備するコンピュータ可読媒体を具備する、コンピュータプログラム製品。
【手続補正書】
【提出日】平成28年5月31日(2016.5.31)
【手続補正１】
【補正対象書類名】特許請求の範囲
【補正対象項目名】全文
【補正方法】変更
【補正の内容】
【特許請求の範囲】
【請求項１】
受信機を含むユーザ機器（ＵＥ）のワイヤレス通信の方法であって、
動作モードを第１の信号対雑音比（ＳＮＲ）モードから増加ＳＮＲモードに変更することと、前記動作モードは、前記受信機内の低雑音増幅器またはベースバンド増幅器のうちの少なくとも１つの利得状態を調整することによって変更される、
前記増加ＳＮＲにおいてデータを受信する能力を示すチャネル品質情報（ＣＱＩ）を基地局に送ることと、
前記基地局が高次変調およびコーディング方式（ＭＣＳ）において前記データを提供することが可能である場合、前記増加ＳＮＲに対応する前記高次ＭＣＳに従って前記基地局から前記データを受信することと
を具備する、方法。
【請求項２】
前記動作モードを前記変更することは、
ダウンリンクＳＮＲ測定値を取得することと、
前記ダウンリンクＳＮＲ測定値に基づいて前記動作モードを前記増加ＳＮＲモードに変更することと
を具備する、請求項１の方法。
【請求項３】
前記動作モードを前記変更することは、
前記基地局から、前記高次ＭＣＳに対応する少なくとも１つのＣＱＩ値を報告するためのシグナリングを受信することと、
前記受信されたシグナリングに基づいて前記動作モードを前記増加ＳＮＲモードに変更することと
を具備する、請求項１の方法。
【請求項４】
前記動作モードを前記変更することは、
前記第１のＳＮＲモードにおいて動作しながら、第１のＭＣＳに従って前記基地局からデータを受信することと、
複数の連続するタイムスロットに関する前記第１のＭＣＳに従って前記基地局から前記データを受信した後に、前記動作モードを前記増加ＳＮＲモードに変更することと
を具備する、請求項１の方法。
【請求項５】
前記増加ＳＮＲにおいて前記データを受信する前記能力を示す前記ＣＱＩを送った後に、前記第１のＭＣＳに従って前記データを受信し続けるか、またはデータを受信することに失敗することと、
前記基地局が前記高次ＭＣＳにおいて前記データを提供することができないと決定することと、
前記動作モードを前記第１のＳＮＲモードに戻すことと
をさらに具備する、請求項４の方法。
【請求項６】
前記第１のＭＣＳが６４値直交振幅変調（ＱＡＭ）を具備し、前記高次ＭＣＳが２５６ＱＡＭを具備する、請求項４の方法。
【請求項７】
前記第１のＭＣＳが４位相シフトキーイング（ＱＰＳＫ）を具備し、前記高次ＭＣＳが１６値直交振幅変調（ＱＡＭ）または６４ＱＡＭを具備する、請求項４の方法。
【請求項８】
前記受信機内の前記低雑音増幅器または前記ベースバンド増幅器のうちの前記少なくとも１つの前記利得状態を調整することは、
低雑音指数（ＮＦ）および低利得が、前記低雑音増幅器の固定された高利得低雑音増幅器状態と、前記ベースバンド増幅器のポストミキサ調整可能利得ベースバンド増幅器状態とによって同時に達成されるように前記利得状態を動かすこと
を備える、請求項１の方法。
【請求項９】
前記基地局からのシグナリングは、基地局ダウンリンク信号が、
コロケートされるかまたはコロケートされない、あるいは
時間整合されるかまたは時間整合されない
ネットワーク構成において、マルチキャリアダウンリンクシグナリングを介して受信される、請求項８の方法。
【請求項１０】
受信機を含むユーザ機器（ＵＥ）であるワイヤレス通信用装置であって、
動作モードを第１の信号対雑音比（ＳＮＲ）モードから増加ＳＮＲモードに変更するための手段と、前記動作モードは、前記受信機内の低雑音増幅器またはベースバンド増幅器のうちの少なくとも１つの利得状態を調整することによって変更される、
前記増加ＳＮＲにおいてデータを受信する能力を示すチャネル品質情報（ＣＱＩ）を基地局に送るための手段と、
前記基地局が高次変調およびコーディング方式（ＭＣＳ）において前記データを提供することが可能である場合、前記増加ＳＮＲに対応する前記高次ＭＣＳに従って前記基地局から前記データを受信するための手段と
を具備する、装置。
【請求項１１】
前記動作モードを変更するための前記手段は、
ダウンリンクＳＮＲ測定値を取得し、
前記ダウンリンクＳＮＲ測定値に基づいて前記動作モードを前記増加ＳＮＲモードに変更する
ように構成される、請求項１０の装置。
【請求項１２】
前記動作モードを変更するための前記手段は、
前記基地局から、前記高次ＭＣＳに対応する少なくとも１つのＣＱＩ値を報告するためのシグナリングを受信し、
前記受信されたシグナリングに基づいて前記動作モードを前記増加ＳＮＲモードに変更する
ように構成される、請求項１０の装置。
【請求項１３】
前記動作モードを変更するための前記手段は、
前記第１のＳＮＲモードにおいて動作しながら、第１のＭＣＳに従って前記基地局からデータを受信し、
複数の連続するタイムスロットに関する前記第１のＭＣＳに従って前記基地局から前記データを受信した後に、前記動作モードを前記増加ＳＮＲモードに変更する
ように構成される、請求項１０の装置。
【請求項１４】
前記増加ＳＮＲにおいて前記データを受信する前記能力を示す前記ＣＱＩを送った後に、前記第１のＭＣＳに従って前記データを受信し続けるか、またはデータを受信することに失敗するための手段と、
前記基地局が前記高次ＭＣＳにおいて前記データを提供することができないと決定するための手段と、
前記動作モードを前記第１のＳＮＲモードに戻すための手段と
をさらに具備する、請求項１３の装置。
【請求項１５】
前記第１のＭＣＳが６４値直交振幅変調（ＱＡＭ）を具備し、前記高次ＭＣＳが２５６ＱＡＭを具備する、請求項１３の装置。
【請求項１６】
前記第１のＭＣＳが４位相シフトキーイング（ＱＰＳＫ）を具備し、前記高次ＭＣＳが１６値直交振幅変調（ＱＡＭ）または６４ＱＡＭを具備する、請求項１３の装置。
【請求項１７】
前記受信機内の前記低雑音増幅器または前記ベースバンド増幅器のうちの前記少なくとも１つの前記利得状態を調整することは、
低雑音指数（ＮＦ）および低利得が、前記低雑音増幅器の固定された高利得低雑音増幅器状態と、前記ベースバンド増幅器のポストミキサ調整可能利得ベースバンド増幅器状態とによって同時に達成されるように前記利得状態を動かすこと
を備える、請求項１０の装置。
【請求項１８】
前記基地局からのシグナリングは、基地局ダウンリンク信号が、
コロケートされるかまたはコロケートされない、あるいは
時間整合されるかまたは時間整合されない
ネットワーク構成において、マルチキャリアダウンリンクシグナリングを介して受信される、請求項１７の装置。
【請求項１９】
受信機を含むユーザ機器であるワイヤレス通信用装置であって、
メモリと、
前記メモリに接続される少なくとも１つのプロセッサと
を具備し、前記少なくとも１つのプロセッサは、
動作モードを第１の信号対雑音比（ＳＮＲ）モードから増加ＳＮＲモードに変更し、前記動作モードは、前記受信機内の低雑音増幅器またはベースバンド増幅器のうちの少なくとも１つの利得状態の調整によって変更される、
前記増加ＳＮＲにおいてデータを受信する能力を示すチャネル品質情報（ＣＱＩ）を基地局に送り、
前記基地局が高次変調およびコーディング方式（ＭＣＳ）において前記データを提供することが可能である場合、前記増加ＳＮＲに対応する前記高次ＭＣＳに従って前記基地局から前記データを受信する
ように構成される、装置。
【請求項２０】
前記動作モードを変更するように構成される前記少なくとも１つのプロセッサは、
ダウンリンクＳＮＲ測定値を取得し、
前記ダウンリンクＳＮＲ測定値に基づいて前記動作モードを前記増加ＳＮＲモードに変更する
ように構成される、請求項１９の装置。
【請求項２１】
前記動作モードを変更するように構成される前記少なくとも１つのプロセッサは、
前記基地局から、前記高次ＭＣＳに対応する少なくとも１つのＣＱＩ値を報告するためのシグナリングを受信し、
前記受信されたシグナリングに基づいて前記動作モードを前記増加ＳＮＲモードに変更する
ように構成される、請求項１９の装置。
【請求項２２】
前記動作モードを変更するように構成される前記少なくとも１つのプロセッサが、
前記第１のＳＮＲモードにおいて動作しながら、第１のＭＣＳに従って前記基地局からデータを受信し、
複数の連続するタイムスロットに関する前記第１のＭＣＳに従って前記基地局から前記データを受信した後に、前記動作モードを前記増加ＳＮＲモードに変更する
ように構成される、請求項１９の装置。
【請求項２３】
前記少なくとも１つのプロセッサは、
前記増加ＳＮＲにおいて前記データを受信する前記能力を示す前記ＣＱＩを送った後に、前記第１のＭＣＳに従って前記データを受信し続けるか、またはデータを受信することに失敗し、
前記基地局が前記高次ＭＣＳにおいて前記データを提供することができないと決定し、
前記動作モードを前記第１のＳＮＲモードに戻す
ようにさらに構成される、請求項２２の装置。
【請求項２４】
前記第１のＭＣＳが６４値直交振幅変調（ＱＡＭ）を具備し、前記高次ＭＣＳが２５６ＱＡＭを具備する、請求項２２の装置。
【請求項２５】
前記第１のＭＣＳが４位相シフトキーイング（ＱＰＳＫ）を具備し、前記高次ＭＣＳが１６値直交振幅変調（ＱＡＭ）または６４ＱＡＭを具備する、請求項２２の装置。
【請求項２６】
前記受信機内の前記低雑音増幅器または前記ベースバンド増幅器のうちの前記少なくとも１つの前記利得状態の前記調整は、
低雑音指数（ＮＦ）および低利得が、前記低雑音増幅器の固定された高利得低雑音増幅器状態と、前記ベースバンド増幅器のポストミキサ調整可能利得ベースバンド増幅器状態とによって同時に達成されるように前記利得状態を動かすこと
を備える、請求項１９の装置。
【請求項２７】
前記基地局からのシグナリングは、基地局ダウンリンク信号が、
コロケートされるかまたはコロケートされない、あるいは
時間整合されるかまたは時間整合されない
ネットワーク構成において、マルチキャリアダウンリンクシグナリングを介して受信される、請求項２６の装置。
【請求項２８】
受信機を含むユーザ機器（ＵＥ）のワイヤレス通信のためのコンピュータ実行可能なコードを記憶する非一時的なコンピュータ可読媒体であって、
動作モードを第１の信号対雑音比（ＳＮＲ）モードから増加ＳＮＲモードに変更し、前記動作モードは、前記受信機内の低雑音増幅器またはベースバンド増幅器のうちの少なくとも１つの利得状態を調整することによって変更される、
前記増加ＳＮＲにおいてデータを受信する能力を示すチャネル品質情報（ＣＱＩ）を基地局に送り、
前記基地局が高次変調およびコーディング方式（ＭＣＳ）において前記データを提供することが可能である場合、前記増加ＳＮＲに対応する前記高次ＭＣＳに従って前記基地局から前記データを受信する
ためのコードを具備する、非一時的なコンピュータ可読媒体。
【請求項２９】
前記動作モードは、
電圧制御発振器（ＶＣＯ）／位相ロックループ（ＰＬＬ）電流を増加させること、
リアルタイム残差側波帯（ＲＳＢ）キャリブレーションを起動すること、または
フロントエンド不可逆構成要素をバイパスすること
のうちの少なくとも１つによって前記増加ＳＮＲモードにさらに変更される、請求項１の方法。
【請求項３０】
前記動作モードは、
電圧制御発振器（ＶＣＯ）／位相ロックループ（ＰＬＬ）電流を増加させること、
リアルタイム残差側波帯（ＲＳＢ）キャリブレーションを起動すること、または
フロントエンド不可逆構成要素をバイパスすること
のうちの少なくとも１つによって前記増加ＳＮＲモードにさらに変更される、請求項１０の装置。
【手続補正書】
【提出日】平成28年11月10日(2016.11.10)
【手続補正１】
【補正対象書類名】特許請求の範囲
【補正対象項目名】全文
【補正方法】変更
【補正の内容】
【特許請求の範囲】
【請求項１】
受信機を含むユーザ機器（ＵＥ）のワイヤレス通信の方法であって、
動作モードを第１の信号対雑音比（ＳＮＲ）モードから増加ＳＮＲモードに変更することと、前記動作モードは、前記受信機内の低雑音増幅器またはベースバンド増幅器のうちの少なくとも１つの利得状態を調整することによって変更される、
前記増加ＳＮＲにおいてデータを受信する能力を示すチャネル品質情報（ＣＱＩ）を基地局に送ることと、
前記基地局が高次変調およびコーディング方式（ＭＣＳ）において前記データを提供することが可能である場合、前記増加ＳＮＲに対応する前記高次ＭＣＳに従って前記基地局から前記データを受信することと
を具備し、
前記動作モードを前記変更することは、
前記第１のＳＮＲモードにおいて動作しながら、第１のＭＣＳに従って前記基地局からデータを受信することと、
複数の連続するタイムスロットに関する前記第１のＭＣＳに従って前記基地局から前記データを受信した後に、前記動作モードを前記増加ＳＮＲモードに変更することと
を具備する、方法。
【請求項２】
前記動作モードを前記変更することは、
ダウンリンクＳＮＲ測定値を取得することと、
前記ダウンリンクＳＮＲ測定値に基づいて前記動作モードを前記増加ＳＮＲモードに変更することと
を具備する、請求項１の方法。
【請求項３】
前記動作モードを前記変更することは、
前記基地局から、前記高次ＭＣＳに対応する少なくとも１つのＣＱＩ値を報告するためのシグナリングを受信することと、
前記受信されたシグナリングに基づいて前記動作モードを前記増加ＳＮＲモードに変更することと
を具備する、請求項１の方法。
【請求項４】
前記増加ＳＮＲにおいて前記データを受信する前記能力を示す前記ＣＱＩを送った後に、前記第１のＭＣＳに従って前記データを受信し続けるか、またはデータを受信することに失敗することと、
前記基地局が前記高次ＭＣＳにおいて前記データを提供することができないと決定することと、
前記動作モードを前記第１のＳＮＲモードに戻すことと
をさらに具備する、請求項１の方法。
【請求項５】
前記第１のＭＣＳが６４値直交振幅変調（ＱＡＭ）を具備し、前記高次ＭＣＳが２５６ＱＡＭを具備する、請求項１の方法。
【請求項６】
前記第１のＭＣＳが４位相シフトキーイング（ＱＰＳＫ）を具備し、前記高次ＭＣＳが１６値直交振幅変調（ＱＡＭ）または６４ＱＡＭを具備する、請求項１の方法。
【請求項７】
前記受信機内の前記低雑音増幅器または前記ベースバンド増幅器のうちの前記少なくとも１つの前記利得状態を調整することは、
低雑音指数（ＮＦ）および低利得が、高利得状態において前記低雑音増幅器を動作させることと、ミキサの後に位置する前記ベースバンド増幅器において利得をカットすることとによって同時に達成されるように前記利得状態を動かすこと
を備える、請求項１の方法。
【請求項８】
前記基地局からのシグナリングは、基地局ダウンリンク信号が、
コロケートされるかまたはコロケートされない、あるいは
時間整合されるかまたは時間整合されない
ネットワーク構成において、マルチキャリアダウンリンクシグナリングを介して受信される、請求項７の方法。
【請求項９】
受信機を含むユーザ機器（ＵＥ）であるワイヤレス通信用装置であって、
動作モードを第１の信号対雑音比（ＳＮＲ）モードから増加ＳＮＲモードに変更するための手段と、前記動作モードは、前記受信機内の低雑音増幅器またはベースバンド増幅器のうちの少なくとも１つの利得状態を調整することによって変更される、
前記増加ＳＮＲにおいてデータを受信する能力を示すチャネル品質情報（ＣＱＩ）を基地局に送るための手段と、
前記基地局が高次変調およびコーディング方式（ＭＣＳ）において前記データを提供することが可能である場合、前記増加ＳＮＲに対応する前記高次ＭＣＳに従って前記基地局から前記データを受信するための手段と
を具備し、
前記動作モードを変更するための前記手段は、
前記第１のＳＮＲモードにおいて動作しながら、第１のＭＣＳに従って前記基地局からデータを受信し、
複数の連続するタイムスロットに関する前記第１のＭＣＳに従って前記基地局から前記データを受信した後に、前記動作モードを前記増加ＳＮＲモードに変更する
ように構成される、装置。
【請求項１０】
前記動作モードを変更するための前記手段は、
ダウンリンクＳＮＲ測定値を取得し、
前記ダウンリンクＳＮＲ測定値に基づいて前記動作モードを前記増加ＳＮＲモードに変更する
ように構成される、請求項９の装置。
【請求項１１】
前記動作モードを変更するための前記手段は、
前記基地局から、前記高次ＭＣＳに対応する少なくとも１つのＣＱＩ値を報告するためのシグナリングを受信し、
前記受信されたシグナリングに基づいて前記動作モードを前記増加ＳＮＲモードに変更する
ように構成される、請求項９の装置。
【請求項１２】
前記増加ＳＮＲにおいて前記データを受信する前記能力を示す前記ＣＱＩを送った後に、前記第１のＭＣＳに従って前記データを受信し続けるか、またはデータを受信することに失敗するための手段と、
前記基地局が前記高次ＭＣＳにおいて前記データを提供することができないと決定するための手段と、
前記動作モードを前記第１のＳＮＲモードに戻すための手段と
をさらに具備する、請求項９の装置。
【請求項１３】
前記第１のＭＣＳが６４値直交振幅変調（ＱＡＭ）を具備し、前記高次ＭＣＳが２５６ＱＡＭを具備する、請求項９の装置。
【請求項１４】
前記第１のＭＣＳが４位相シフトキーイング（ＱＰＳＫ）を具備し、前記高次ＭＣＳが１６値直交振幅変調（ＱＡＭ）または６４ＱＡＭを具備する、請求項９の装置。
【請求項１５】
前記受信機内の前記低雑音増幅器または前記ベースバンド増幅器のうちの前記少なくとも１つの前記利得状態を調整することは、
低雑音指数（ＮＦ）および低利得が、高利得状態において前記低雑音増幅器を動作させることと、ミキサの後に位置する前記ベースバンド増幅器において利得をカットすることとによって同時に達成されるように前記利得状態を動かすこと
を備える、請求項９の装置。
【請求項１６】
前記基地局からのシグナリングは、基地局ダウンリンク信号が、
コロケートされるかまたはコロケートされない、あるいは
時間整合されるかまたは時間整合されない
ネットワーク構成において、マルチキャリアダウンリンクシグナリングを介して受信される、請求項１５の装置。
【請求項１７】
受信機を含むユーザ機器であるワイヤレス通信用装置であって、
メモリと、
前記メモリに接続される少なくとも１つのプロセッサと
を具備し、前記少なくとも１つのプロセッサは、
動作モードを第１の信号対雑音比（ＳＮＲ）モードから増加ＳＮＲモードに変更し、前記動作モードは、前記受信機内の低雑音増幅器またはベースバンド増幅器のうちの少なくとも１つの利得状態の調整によって変更される、
前記増加ＳＮＲにおいてデータを受信する能力を示すチャネル品質情報（ＣＱＩ）を基地局に送り、
前記基地局が高次変調およびコーディング方式（ＭＣＳ）において前記データを提供することが可能である場合、前記増加ＳＮＲに対応する前記高次ＭＣＳに従って前記基地局から前記データを受信する
ように構成され、
前記動作モードを変更するように構成される前記少なくとも１つのプロセッサが、
前記第１のＳＮＲモードにおいて動作しながら、第１のＭＣＳに従って前記基地局からデータを受信し、
複数の連続するタイムスロットに関する前記第１のＭＣＳに従って前記基地局から前記データを受信した後に、前記動作モードを前記増加ＳＮＲモードに変更する
ように構成される、装置。
【請求項１８】
前記動作モードを変更するように構成される前記少なくとも１つのプロセッサは、
ダウンリンクＳＮＲ測定値を取得し、
前記ダウンリンクＳＮＲ測定値に基づいて前記動作モードを前記増加ＳＮＲモードに変更する
ように構成される、請求項１７の装置。
【請求項１９】
前記動作モードを変更するように構成される前記少なくとも１つのプロセッサは、
前記基地局から、前記高次ＭＣＳに対応する少なくとも１つのＣＱＩ値を報告するためのシグナリングを受信し、
前記受信されたシグナリングに基づいて前記動作モードを前記増加ＳＮＲモードに変更する
ように構成される、請求項１７の装置。
【請求項２０】
前記少なくとも１つのプロセッサは、
前記増加ＳＮＲにおいて前記データを受信する前記能力を示す前記ＣＱＩを送った後に、前記第１のＭＣＳに従って前記データを受信し続けるか、またはデータを受信することに失敗し、
前記基地局が前記高次ＭＣＳにおいて前記データを提供することができないと決定し、
前記動作モードを前記第１のＳＮＲモードに戻す
ようにさらに構成される、請求項１７の装置。
【請求項２１】
前記第１のＭＣＳが６４値直交振幅変調（ＱＡＭ）を具備し、前記高次ＭＣＳが２５６ＱＡＭを具備する、請求項１７の装置。
【請求項２２】
前記第１のＭＣＳが４位相シフトキーイング（ＱＰＳＫ）を具備し、前記高次ＭＣＳが１６値直交振幅変調（ＱＡＭ）または６４ＱＡＭを具備する、請求項１７の装置。
【請求項２３】
前記受信機内の前記低雑音増幅器または前記ベースバンド増幅器のうちの前記少なくとも１つの前記利得状態の前記調整は、
低雑音指数（ＮＦ）および低利得が、高利得状態において前記低雑音増幅器を動作させることと、ミキサの後に位置する前記ベースバンド増幅器において利得をカットすることとによって同時に達成されるように前記利得状態を動かすこと
を備える、請求項１７の装置。
【請求項２４】
前記基地局からのシグナリングは、基地局ダウンリンク信号が、
コロケートされるかまたはコロケートされない、あるいは
時間整合されるかまたは時間整合されない
ネットワーク構成において、マルチキャリアダウンリンクシグナリングを介して受信される、請求項２３の装置。
【請求項２５】
受信機を含むユーザ機器（ＵＥ）のワイヤレス通信のためのコンピュータ実行可能なコードを記憶する非一時的なコンピュータ可読媒体であって、
動作モードを第１の信号対雑音比（ＳＮＲ）モードから増加ＳＮＲモードに変更し、前記動作モードは、前記受信機内の低雑音増幅器またはベースバンド増幅器のうちの少なくとも１つの利得状態を調整することによって変更される、
前記増加ＳＮＲにおいてデータを受信する能力を示すチャネル品質情報（ＣＱＩ）を基地局に送り、
前記基地局が高次変調およびコーディング方式（ＭＣＳ）において前記データを提供することが可能である場合、前記増加ＳＮＲに対応する前記高次ＭＣＳに従って前記基地局から前記データを受信する
ためのコードを具備し、
前記コードはさらに、前記第１のＳＮＲモードにおいて動作しながら、第１のＭＣＳに従って前記基地局からデータを受信し、
複数の連続するタイムスロットに関する前記第１のＭＣＳに従って前記基地局から前記データを受信した後に、前記動作モードを前記増加ＳＮＲモードに変更する
ためのコードである、非一時的なコンピュータ可読媒体。
【請求項２６】
前記動作モードは、
電圧制御発振器（ＶＣＯ）／位相ロックループ（ＰＬＬ）電流を増加させること、
リアルタイム残差側波帯（ＲＳＢ）キャリブレーションを起動すること、または
フロントエンド不可逆構成要素をバイパスすること
のうちの少なくとも１つによって前記増加ＳＮＲモードにさらに変更される、請求項１の方法。
【請求項２７】
前記動作モードは、
電圧制御発振器（ＶＣＯ）／位相ロックループ（ＰＬＬ）電流を増加させること、
リアルタイム残差側波帯（ＲＳＢ）キャリブレーションを起動すること、または
フロントエンド不可逆構成要素をバイパスすること
のうちの少なくとも１つによって前記増加ＳＮＲモードにさらに変更される、請求項９の装置。
【国際調査報告】
2017501596.tif 000017
2017501596.tif 000018
2017501596.tif 000019
2017501596.tif 000020